(57)【特許請求の範囲】
【請求項１】
ワイヤレス通信のための方法であって、
ワイヤレスデバイスによって、成功したクリアチャネルアセスメント（ＣＣＡ）に少なくとも部分的に基づいて、無線周波数スペクトル帯域を介して、複数の基準信号（ＲＳ）を備える第１の直交周波数分割多重（ＯＦＤＭ）シンボルを受信することと、ここにおいて、前記第１のＯＦＤＭシンボルの第１の部分が、前記第１のＯＦＤＭシンボルの残存部分よりも高い密度の前記ＲＳを備え、
前記第１のＯＦＤＭシンボルが基地局からの送信を備えることを決定することと、
前記受信と前記決定に少なくとも部分的に基づいて狭帯域測定を実行することとを備える、方法。
【請求項２】
前記複数のＲＳは、セル固有基準信号（ＣＲＳ）またはチャネル状態情報基準信号（ＣＳＩ−ＲＳ）のうちの少なくとも１つを含む、請求項１に記載の方法。
【請求項３】
前記無線周波数スペクトル帯域を介して、第１の同期信号を備える第２のＯＦＤＭシンボルを受信することをさらに備える、請求項１に記載の方法。
【請求項４】
前記第２のＯＦＤＭシンボルは、前記第１のＯＦＤＭシンボルに時間的に隣接する、請求項３に記載の方法。
【請求項５】
前記無線周波数スペクトル帯域を介して、第２の同期信号を備える第３のＯＦＤＭシンボルを受信することをさらに備える、請求項３に記載の方法。
【請求項６】
前記第３のＯＦＤＭシンボルは、前記第２のＯＦＤＭシンボルに時間的に隣接する、請求項５に記載の方法。
【請求項７】
前記無線周波数スペクトル帯域を介して、複数のＲＳを備える第４のＯＦＤＭシンボルを受信することをさらに備え、前記第４のＯＦＤＭシンボルの第１の部分が、前記第４のＯＦＤＭシンボルの残存部分よりも高い密度のＲＳを備える、請求項５に記載の方法。
【請求項８】
前記第４のＯＦＤＭシンボルは、前記第３のＯＦＤＭシンボルに時間的に隣接する、請求項７に記載の方法。
【請求項９】
前記無線周波数スペクトル帯域は、免許不要無線周波数スペクトル帯域を備える、請求項７に記載の方法。
【請求項１０】
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、請求項５に記載の方法。
【請求項１１】
前記第１の同期信号は、二次同期信号を備え、前記第２の同期信号は、一次同期信号を備える、請求項５に記載の方法。
【請求項１２】
前記第１の同期信号および前記第２の同期信号は、前記第２のＯＦＤＭシンボルおよび前記第３のＯＦＤＭシンボルのリソースブロックの中央セットを介して受信される、請求項５に記載の方法。
【請求項１３】
サブフレームにおけるダウンリンクトラフィックの残存量のブラインド検出を実行することをさらに備える、請求項３に記載の方法。
【請求項１４】
前記ブラインド検出に少なくとも部分的に基づいて、受信機の電源を選択的に切断することをさらに備える、請求項１３に記載の方法。
【請求項１５】
前記ブラインド検出は、前記第２のＯＦＤＭシンボルにおいて受信された第１の複数のチャネル状態情報基準信号（ＣＳＩ−ＲＳ）に少なくとも部分的に基づく、請求項１３に記載の方法。
【請求項１６】
前記ブラインド検出はさらに、第２の同期信号に関連するＯＦＤＭシンボルにおいて受信された第２の複数のＣＳＩ−ＲＳに少なくとも部分的に基づく、請求項１５に記載の方法。
【請求項１７】
シンボルエネルギーを測定することをさらに備え、
前記ブラインド検出は、前記シンボルエネルギーに少なくとも部分的に基づく、請求項１３に記載の方法。
【請求項１８】
前記第１のＯＦＤＭシンボルの前記第１の部分は、前記無線周波数スペクトル帯域のコンポーネントキャリアのリソースブロックの中央セットを備える、請求項１に記載の方法。
【請求項１９】
前記狭帯域チャネル測定は、リソースブロックの前記中央セットに対して実行される、請求項１８に記載の方法。
【請求項２０】
前記狭帯域測定は、前記複数のＲＳからの前記ＲＳのすべて、または前記複数のＲＳからのＲＳのサブセットに基づく、請求項１９に記載の方法。
【請求項２１】
前記ＯＦＤＭシンボルが基地局からの送信を備えるかどうかを決定するために、前記第１のＯＦＤＭシンボルに対してブラインド検出を実行することをさらに備える、請求項１に記載の方法。
【請求項２２】
前記第１のＯＦＤＭシンボルの前記第１の部分は、複数のサブキャリアに関連付けられ、前記第１のＯＦＤＭシンボルの前記複数のサブキャリアの各々を介してＲＳが受信される、請求項１に記載の方法。
【請求項２３】
ワイヤレス通信のための装置であって、
前記装置によって、成功したクリアチャネルアセスメント（ＣＣＡ）に少なくとも部分的に基づいて、無線周波数スペクトル帯域を介して、複数の基準信号（ＲＳ）を備える第１の直交周波数分割多重（ＯＦＤＭ）シンボルを受信するための手段と、ここにおいて、前記第１のＯＦＤＭシンボルの第１の部分が、前記第１のＯＦＤＭシンボルの残存部分よりも高い密度の前記ＲＳを備え、
前記受信に少なくとも部分的に基づいて基地局を発見するための手段と、
前記受信と前記決定に少なくとも部分的に基づいて狭帯域測定を実行するための手段とを備える、装置。
【請求項２４】
前記複数のＲＳは、セル固有基準信号（ＣＲＳ）またはチャネル状態情報基準信号（ＣＳＩ−ＲＳ）のうちの少なくとも１つを含む、請求項２３に記載の装置。
【請求項２５】
前記無線周波数スペクトル帯域を介して、第１の同期信号を備える第２のＯＦＤＭシンボルを受信するための手段をさらに備える、請求項２３に記載の装置。
【請求項２６】
前記第２のＯＦＤＭシンボルは、前記第１のＯＦＤＭシンボルに時間的に隣接する、請求項２５に記載の装置。
【請求項２７】
免許不要無線周波数スペクトル帯域を介して、第２の同期信号を備える第３のＯＦＤＭシンボルを受信するための手段をさらに備える、請求項２５に記載の装置。
【請求項２８】
前記第３のＯＦＤＭシンボルは、前記第２のＯＦＤＭシンボルに時間的に隣接する、請求項２７に記載の装置。
【請求項２９】
前記無線周波数スペクトル帯域を介して、複数のＲＳを備える第４のＯＦＤＭシンボルを受信するための手段をさらに備え、前記第４のＯＦＤＭシンボルの第１の部分が、前記第４のＯＦＤＭシンボルの残存部分よりも高い密度のＲＳを備える、請求項２７に記載の装置。
【請求項３０】
前記第４のＯＦＤＭシンボルは、前記第３のＯＦＤＭシンボルに時間的に隣接する、請求項２９に記載の装置。
【請求項３１】
前記無線周波数スペクトル帯域は、免許不要無線周波数スペクトル帯域を備える、請求項２９に記載の装置。
【請求項３２】
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、請求項２７に記載の装置。
【請求項３３】
前記第１の同期信号は、二次同期信号を備え、前記第２の同期信号は、一次同期信号を備える、請求項２７に記載の装置。
【請求項３４】
前記第１の同期信号および前記第２の同期信号は、前記第２のＯＦＤＭシンボルおよび前記第３のＯＦＤＭシンボルのリソースブロックの中央セットを介して受信される、請求項２７に記載の装置。
【請求項３５】
前記第１のＯＦＤＭシンボルの前記第１の部分は、前記無線周波数スペクトル帯域のコンポーネントキャリアのリソースブロックの中央セットを備える、請求項２３に記載の装置。
【請求項３６】
前記狭帯域チャネル測定は、リソースブロックの前記中央セットに対して実行される、請求項３５に記載の装置。
【請求項３７】
前記狭帯域測定は、前記複数のＲＳからの前記ＲＳのすべて、または前記複数のＲＳからのＲＳのサブセットに基づく、請求項３６に記載の装置。
【請求項３８】
前記ＯＦＤＭシンボルが基地局からの送信を備えるかどうかを決定するために、前記第１のＯＦＤＭシンボルに対してブラインド検出を実行するための手段をさらに備える、請求項２３に記載の装置。
【請求項３９】
サブフレームにおけるダウンリンクトラフィックの残存量のブラインド検出を実行するための手段をさらに備える、請求項２５に記載の装置。
【請求項４０】
前記ブラインド検出に少なくとも部分的に基づいて、受信機の電源を選択的に切断するための手段をさらに備える、請求項３９に記載の装置。
【請求項４１】
前記ブラインド検出は、前記第２のＯＦＤＭシンボルにおいて受信された第１の複数のチャネル状態情報基準信号（ＣＳＩ−ＲＳ）に少なくとも部分的に基づく、請求項３９に記載の装置。
【請求項４２】
前記ブラインド検出はさらに、第２の同期信号に関連するＯＦＤＭシンボルにおいて受信された第２の複数のＣＳＩ−ＲＳに少なくとも部分的に基づく、請求項４１に記載の装置。
【請求項４３】
シンボルエネルギーを測定するための手段をさらに備え、
前記ブラインド検出は、前記シンボルエネルギーに少なくとも部分的に基づく、請求項３９に記載の装置。
【請求項４４】
前記第１のＯＦＤＭシンボルの前記第１の部分は、複数のサブキャリアに関連付けられ、前記第１のＯＦＤＭシンボルの前記複数のサブキャリアの各々を介してＲＳが受信される、請求項２３に記載の装置。
【請求項４５】
ワイヤレス通信のための装置であって、
プロセッサと、
前記プロセッサに結合されたメモリとを備え、前記プロセッサは、
前記装置によって、成功したクリアチャネルアセスメント（ＣＣＡ）に少なくとも部分的に基づいて、無線周波数スペクトル帯域を介して、複数の基準信号（ＲＳ）を備える第１の直交周波数分割多重（ＯＦＤＭ）シンボルを受信することと、ここにおいて、前記第１のＯＦＤＭシンボルの第１の部分が、前記第１のＯＦＤＭシンボルの残存部分よりも高い密度の前記ＲＳを備え、
前記第１のＯＦＤＭシンボルが基地局からの送信を備えることを決定することと、
前記受信と前記決定に少なくとも部分的に基づいて狭帯域測定を実行することとを行うように構成される、装置。
【請求項４６】
前記複数のＲＳは、セル固有基準信号（ＣＲＳ）またはチャネル状態情報基準信号（ＣＳＩ−ＲＳ）のうちの少なくとも１つを含む、請求項４５に記載の装置。
【請求項４７】
前記プロセッサは、前記無線周波数スペクトル帯域を介して、第１の同期信号を備える第２のＯＦＤＭシンボルを受信するように構成される、請求項４５に記載の装置。
【請求項４８】
前記プロセッサは、前記無線周波数スペクトル帯域を介して、第２の同期信号を備える第３のＯＦＤＭシンボルを受信するように構成される、請求項４７に記載の装置。
【請求項４９】
前記プロセッサは、前記無線周波数スペクトル帯域を介して、複数のＲＳを備える第４のＯＦＤＭシンボルを受信するように構成され、前記第４のＯＦＤＭシンボルの第１の部分が、前記第４のＯＦＤＭシンボルの残存部分よりも高い密度のＲＳを備える、請求項４８に記載の装置。
【請求項５０】
前記第１の同期信号および前記第２の同期信号は、前記第２のＯＦＤＭシンボルおよび前記第３のＯＦＤＭシンボルのリソースブロックの中央セットを介して受信される、請求項４８に記載の装置。
【請求項５１】
前記第１のＯＦＤＭシンボルの前記第１の部分は、前記無線周波数スペクトル帯域のコンポーネントキャリアのリソースブロックの中央セットを備える、請求項４５に記載の装置。
【請求項５２】
前記プロセッサは、前記ＯＦＤＭシンボルが基地局からの送信を備えるかどうかを決定するために、前記第１のＯＦＤＭシンボルに対してブラインド検出を実行するように構成される、請求項４５に記載の装置。
【請求項５３】
前記プロセッサは、サブフレームにおけるダウンリンクトラフィックの残存量のブラインド検出を実行するように構成される、請求項４６に記載の装置。
【請求項５４】
前記プロセッサは、前記ブラインド検出に少なくとも部分的に基づいて、受信機の電源を選択的に切断するように構成される、請求項５３に記載の装置。
【請求項５５】
プロセッサによって実行可能な命令を記憶するための非一時的コンピュータ可読記憶媒体であって、
ワイヤレスデバイスによって、成功したクリアチャネルアセスメント（ＣＣＡ）に少なくとも部分的に基づいて、無線周波数スペクトル帯域を介して、複数の基準信号（ＲＳ）を備える第１の直交周波数分割多重（ＯＦＤＭ）シンボルを受信するための命令と、ここにおいて、前記第１のＯＦＤＭシンボルの第１の部分が、前記第１のＯＦＤＭシンボルの残存部分よりも高い密度の前記ＲＳを備え、
前記第１のＯＦＤＭシンボルが基地局からの送信を備えることを決定するための命令と、
前記受信と前記決定に少なくとも部分的に基づいて狭帯域測定を実行するための命令とを備える、非一時的コンピュータ可読記憶媒体。
【請求項５６】
前記複数のＲＳは、セル固有基準信号（ＣＲＳ）またはチャネル状態情報基準信号（ＣＳＩ−ＲＳ）のうちの少なくとも１つを含む、請求項５５に記載の非一時的コンピュータ可読記憶媒体。
【請求項５７】
前記無線周波数スペクトル帯域を介して、第１の同期信号を備える第２のＯＦＤＭシンボルを受信するための命令をさらに備える、請求項５５に記載の非一時的コンピュータ可読記憶媒体。
【請求項５８】
前記無線周波数スペクトル帯域を介して、第２の同期信号を備える第３のＯＦＤＭシンボルを受信するための命令をさらに備える、請求項５７に記載の非一時的コンピュータ可読記憶媒体。
【請求項５９】
前記無線周波数スペクトル帯域を介して、複数のＲＳを備える第４のＯＦＤＭシンボルを受信するための命令をさらに備え、前記第４のＯＦＤＭシンボルの第１の部分が、前記第４のＯＦＤＭシンボルの残存部分よりも高い密度のＲＳを備える、請求項５８に記載の非一時的コンピュータ可読記憶媒体。
【請求項６０】
前記第１のＯＦＤＭシンボルに対してブラインド検出を実行することをさらに備え、前記決定は、前記実行に少なくとも部分的に基づく、請求項１に記載の方法。
【発明の詳細な説明】
【技術分野】
【０００１】
相互参照
[0001]本特許出願は、各々が本出願の譲受人に譲渡される、２０１５年７月３０日に出願された「Ｔｒａｎｓｍｉｓｓｉｏｎ  ａｎｄ  Ｒｅｃｅｐｔｉｏｎ  ｏｆ  Ｄｉｓｃｏｖｅｒｙ  Ｓｉｇｎａｌｓ  Ｏｖｅｒ  ａ  Ｒａｄｉｏ  Ｆｒｅｑｕｅｎｃｙ  Ｓｐｅｃｔｒｕｍ  Ｂａｎｄ」と題するＬｕｏ他による米国特許出願第１４／８１３，４７４号、および２０１４年８月１日に出願された「Ｔｒａｎｓｍｉｓｓｉｏｎ  ａｎｄ  Ｒｅｃｅｐｔｉｏｎ  ｏｆ  Ｄｉｓｃｏｖｅｒｙ  Ｓｉｇｎａｌｓ  Ｏｖｅｒ  ａ  Ｒａｄｉｏ  Ｆｒｅｑｕｅｎｃｙ  Ｓｐｅｃｔｒｕｍ  Ｂａｎｄ」と題するＬｕｏ他による米国仮特許出願第６２／０３２，４４８号の優先権を主張する。
【０００２】
[0002]本開示は、たとえば、ワイヤレス通信システムに関し、より詳細には、無線周波数スペクトル帯域を介してディスカバリ信号を送信および受信するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]例として、ワイヤレス多元接続通信システムは、場合によってはユーザ機器（ＵＥ）と呼ばれる複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。場合によっては、ディスカバリ信号(discovery signals)（たとえば、基準信号および／または同期信号）が基地局からＵＥに送信され得る。ＵＥによって受信されたとき、ディスカバリ信号は、ＵＥが基地局を発見すること、および／または基地局と同期することを可能にし得る。
【０００５】
[0005]いくつかの通信モードは、免許不要無線周波数スペクトル帯域を介した、またはセルラーネットワークの異なる無線周波数スペクトル帯域（たとえば、免許無線周波数スペクトル帯域および／または免許不要無線周波数スペクトル帯域）を介した基地局とＵＥとの間の通信を可能にし得る。免許無線周波数スペクトル帯域を使用するセルラーネットワークにおけるデータトラフィックの増加とともに、免許不要無線周波数スペクトル帯域への少なくとも一部のデータトラフィックのオフロードは、セルラー事業者にデータ送信容量の増強のための機会を与え得る。
【発明の概要】
【０００６】
[0006]本開示は、たとえば、無線周波数スペクトル帯域を介してディスカバリ信号を送信および受信するための１つまたは複数の技法に関する。免許不要無線周波数スペクトル帯域にアクセスし、免許不要無線周波数スペクトル帯域を介して通信する前に、基地局は、免許不要無線周波数スペクトル帯域のチャネルが利用可能であるかどうかを決定するためにクリアチャネルアセスメント（ＣＣＡ）を実行し得る。（たとえば、別のデバイスが免許不要無線周波数スペクトル帯域のチャネルをすでに使用しているので）免許不要無線周波数スペクトル帯域のチャネルが利用可能ではないと決定されたときに、基地局は免許不要無線周波数スペクトル帯域を介して送信できず、後で免許不要無線周波数スペクトル帯域へのアクセスを争うために、後で別のＣＣＡを実行することがある。したがって、いつ基地局が免許不要無線周波数スペクトル帯域を介して送信することが可能になるかについての不確実性が存在する。また、免許不要無線周波数スペクトル帯域のチャネルを介してＵＥに送信すべきデータを基地局が有しない無線フレームがあり得る。これらの要因の両方は、基地局がディスカバリ信号を送信できる頻度を低下させる傾向があり、ディスカバリ信号は、基地局を発見すること、および／または基地局と同期することを試みているＵＥにとって有用であり得るので、ディスカバリ信号のより規則的および／またはロバストな送信を可能にする方法および装置が有用であり得る。狭帯域測定を行うＵＥの能力を改善し得る方法および装置も有用であり得る。
【０００７】
[0007]説明のための例の第１のセットでは、ワイヤレス通信のための方法が説明される。一構成では、方法は、無線周波数スペクトル帯域を介して、セル固有基準信号（ＣＲＳ）またはチャネル状態情報基準信号（ＣＳＩ−ＲＳ）であり得る複数の基準信号（ＲＳ）を含む第１の直交周波数分割多重（ＯＦＤＭ）シンボルを受信することを含み得る。第１のＯＦＤＭシンボルの第１の部分は、第１のＯＦＤＭシンボルの残存部分よりも高い密度のＲＳを含み得る。
【０００８】
[0008]いくつかの例では、方法は、無線周波数スペクトル帯域を介して、第１の同期信号を含む第２のＯＦＤＭシンボルを受信することを含み得る。いくつかの例では、第２のＯＦＤＭシンボルは、第１のＯＦＤＭシンボルと時間的に隣接し得る。
【０００９】
[0009]いくつかの例では、方法は、無線周波数スペクトル帯域を介して、第２の同期信号を含む第３のＯＦＤＭシンボルを受信することを含み得る。いくつかの例では、第３のＯＦＤＭシンボルは、第２のＯＦＤＭシンボルと時間的に隣接し得る。いくつかの例では、方法は、無線周波数スペクトル帯域を介して、複数のＲＳを含む第４のＯＦＤＭシンボルを受信することを含み得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る。
【００１０】
[0010]方法のいくつかの例では、無線周波数スペクトル帯域は免許不要無線周波数スペクトル帯域を含み得る。方法のいくつかの例では、第２のＯＦＤＭシンボルおよび第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成る群のうちの少なくとも１つをさらに含み得る。方法のいくつかの例では、第１の同期信号は二次同期信号を含むことができ、第２の同期信号は一次同期信号を含むことができる。方法のいくつかの例では、第１の同期信号および第２の同期信号は、第２のＯＦＤＭシンボルおよび第３のＯＦＤＭシンボルのリソースブロックの中央セットを介して受信され得る。
【００１１】
[0011]方法のいくつかの例では、第１のＯＦＤＭシンボルの第１の部分は、無線周波数スペクトル帯域のコンポーネントキャリアのリソースブロックの中央セットを含み得る。いくつかの例では、方法は、リソースブロックの中央セットに対して狭帯域チャネル測定を実行することを含むことができ、測定が、複数のＲＳからのＲＳのすべて、または複数のＲＳからのＲＳのサブセットに基づき得る。
【００１２】
[0012]いくつかの例では、方法は、第１のＯＦＤＭシンボルに対して、ＯＦＤＭシンボルが基地局からの送信を備えるかどうかを決定するために、ブラインド検出を実行することを含み得る。いくつかの例では、方法は、サブフレームにおけるダウンリンクトラフィックの残存量のブラインド検出を実行することと、ブラインド検出に少なくとも部分的に基づいて、受信機の電源を選択的に切断することとを含み得る。いくつかの例では、ブラインド検出は、第２のＯＦＤＭシンボルにおいて受信された第１の複数のＣＳＩ−ＲＳに少なくとも部分的に基づき得る。いくつかの例では、ブラインド検出はさらに、第２の同期信号に関連するＯＦＤＭシンボルにおいて受信された第２の複数のＣＳＩ−ＲＳに少なくとも部分的に基づき得る。いくつかの例では、方法は、シンボルエネルギーを測定することを含むことができ、ブラインド検出は、測定されたシンボルエネルギーに少なくとも部分的に基づき得る。
【００１３】
[0013]方法のいくつかの例では、第１のＯＦＤＭシンボルの第１の部分は、複数のサブキャリアに関連付けられ得、第１のＯＦＤＭシンボルのサブキャリアの各々を介してＲＳが受信され得る。
【００１４】
[0014]説明のための例の第２のセットでは、ワイヤレス通信のための装置が説明される。一構成では、装置は、無線周波数スペクトル帯域を介して、ＣＲＳまたはＣＳＩ−ＲＳであり得る複数のＲＳを含む第１のＯＦＤＭシンボルを受信するための手段を含み得る。第１のＯＦＤＭシンボルの第１の部分は、第１のＯＦＤＭシンボルの残存部分よりも高い密度のＲＳを含み得る。いくつかの例では、装置は、説明のための例の第１のセットに関して上で説明されたワイヤレス通信のための方法の１つまたは複数の態様を実装するための手段をさらに含み得る。
【００１５】
[0015]説明のための例の第３のセットでは、ワイヤレス通信のための別の装置が説明される。一構成では、装置は、プロセッサと、プロセッサに結合されたメモリとを含み得る。プロセッサは、無線周波数スペクトル帯域を介して、ＣＲＳまたはＣＳＩ−ＲＳであり得る複数のＲＳを含む第１のＯＦＤＭシンボルを受信するように構成され得る。第１のＯＦＤＭシンボルの第１の部分は、第１のＯＦＤＭシンボルの残存部分よりも高い密度のＲＳを含み得る。いくつかの例では、プロセッサはまた、説明のための例の第１のセットに関して上で説明されたワイヤレス通信のための方法の１つまたは複数の態様を実装するように構成され得る。
【００１６】
[0016]説明のための例の第４のセットでは、プロセッサによって実行可能な命令を記憶するためのコンピュータ可読媒体が説明される。一構成では、コンピュータ可読媒体は、無線周波数スペクトル帯域を介して、ＣＲＳまたはＣＳＩ−ＲＳであり得る複数のＲＳを含む第１のＯＦＤＭシンボルを受信するための命令を含み得る。第１のＯＦＤＭシンボルの第１の部分は、第１のＯＦＤＭシンボルの残存部分よりも高い密度のＲＳを含み得る。いくつかの例では、コンピュータ可読媒体はまた、説明のための例の第１のセットに関して上で説明されたワイヤレス通信のための方法の１つまたは複数の態様を実装するための命令を含み得る。
【００１７】
[0017]説明のための例の第５のセットでは、ワイヤレス通信のための別の方法が説明される。一構成では、方法は、無線周波数スペクトル帯域を介して、ＣＲＳまたはＣＳＩ−ＲＳであり得る複数のＲＳを含む第１のＯＦＤＭシンボルを送信することを含み得る。第１のＯＦＤＭシンボルの第１の部分は、第１のＯＦＤＭシンボルの残存部分よりも高い密度のＲＳを含み得る。
【００１８】
[0018]いくつかの例では、また方法は、無線周波数スペクトル帯域を介して、第１の同期信号を含む第２のＯＦＤＭシンボルを送信することを含み得る。いくつかの例では、第２のＯＦＤＭシンボルは、第１のＯＦＤＭシンボルと時間的に隣接し得る。いくつかの例では、方法は、無線周波数スペクトル帯域を介して、第２の同期信号を含む第３のＯＦＤＭシンボルを送信することを含み得る。いくつかの例では、第３のＯＦＤＭシンボルは、第２のＯＦＤＭシンボルと時間的に隣接し得る。いくつかの例では、方法は、無線周波数スペクトル帯域を介して、複数のＲＳを含む第４のＯＦＤＭシンボルを送信することを含み得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る。
【００１９】
[0019]方法のいくつかの例では、無線周波数スペクトル帯域は免許不要無線周波数スペクトル帯域を含み得る。方法のいくつかの例では、第２のＯＦＤＭシンボルおよび第３のＯＦＤＭシンボルの各々は、ＣＳＩ−ＲＳ、ＳＩＢ、ＰＢＣＨ、およびそれらの組合せから成る群のうちの少なくとも１つをさらに含み得る。方法のいくつかの例では、第１の同期信号は二次同期信号を含むことができ、第２の同期信号は一次同期信号を含むことができる。方法のいくつかの例では、第１の同期信号および第２の同期信号は、第２のＯＦＤＭシンボルおよび第３のＯＦＤＭシンボルのリソースブロックの中央セットを介して送信され得る。
【００２０】
[0020]方法のいくつかの例では、第１のＯＦＤＭシンボルの第１の部分は、無線周波数スペクトル帯域のコンポーネントキャリアのリソースブロックの中央セットを含み得る。方法のいくつかの例では、第１のＯＦＤＭシンボルの第１の部分は、複数のサブキャリアに関連付けられ得、第１のＯＦＤＭシンボルのサブキャリアの各々を介してＲＳは送信され得る。
【００２１】
[0021]説明のための例の第６のセットでは、ワイヤレス通信のための別の装置が説明される。一構成では、装置は、無線周波数スペクトル帯域を介して、ＣＲＳまたはＣＳＩ−ＲＳであり得る複数のＲＳを含む第１のＯＦＤＭシンボルを送信するための手段を含み得る。第１のＯＦＤＭシンボルの第１の部分は、第１のＯＦＤＭシンボルの残存部分よりも高い密度のＲＳを含み得る。いくつかの例では、装置は、説明のための例の第５のセットに関して上で説明されたワイヤレス通信のための方法の１つまたは複数の態様を実装するための手段をさらに含み得る。
【００２２】
[0022]説明のための例の第７のセットでは、ワイヤレス通信のための別の装置が説明される。一構成では、装置は、プロセッサと、プロセッサに結合されたメモリとを含み得る。プロセッサは、無線周波数スペクトル帯域を介して、ＣＲＳまたはＣＳＩ−ＲＳであり得る複数のＲＳを含む第１のＯＦＤＭシンボルを送信するように構成され得る。第１のＯＦＤＭシンボルの第１の部分は、第１のＯＦＤＭシンボルの残存部分よりも高い密度のＲＳを含み得る。いくつかの例では、プロセッサはまた、説明のための例の第５のセットに関して上で説明されたワイヤレス通信のための方法の１つまたは複数の態様を実装するように構成され得る。
【００２３】
[0023]説明のための例の第８のセットでは、プロセッサによって実行可能な命令を記憶するための別のコンピュータ可読媒体が説明される。一構成では、コンピュータ可読媒体は、無線周波数スペクトル帯域を介して、ＣＲＳまたはＣＳＩ−ＲＳであり得る複数のＲＳを含む第１のＯＦＤＭシンボルを送信するための命令を含み得る。第１のＯＦＤＭシンボルの第１の部分は、第１のＯＦＤＭシンボルの残存部分よりも高い密度のＲＳを含み得る。いくつかの例では、コンピュータ可読媒体はまた、説明のための例の第５のセットに関して上で説明されたワイヤレス通信のための方法の１つまたは複数の態様を実装するための命令を含み得る。
【００２４】
[0024]上では、以下の発明を実施するための形態がより良く理解され得るように、本開示による例の特徴および技術的利点をやや広く概説した。追加の特徴および利点が以下で説明される。開示される概念および具体例は、本開示の同じ目的を実施するための他の構造を変更または設計するための基礎として容易に利用され得る。そのような等価な構成は、添付の特許請求の範囲から逸脱しない。本明細書で開示される概念の特徴、それらの構成と動作の方法の両方は、関連する利点と一緒に、添付の図とともに考慮されるときに以下の説明からより良く理解されよう。図の各々は、例示および説明のみの目的で与えられ、特許請求の範囲の限界を定めるものとして与えられるものではない。
【００２５】
[0025]本発明の性質および利点のさらなる理解は、以下の図面を参照して実現され得る。添付の図において、同様の構成要素または特徴は、同じ参照ラベルを有する場合がある。さらに、同じタイプの様々な構成要素は、参照ラベルの後に、ダッシュと、それらの同様の構成要素の間で区別する第２のラベルとを続けることによって区別され得る。本明細書では単に第１の参照ラベルが使用される場合であっても、説明は、第２の参照ラベルにかかわらず、同じ第１の参照ラベルを有する同様の構成要素のいずれにも適用可能である。
【図面の簡単な説明】
【００２６】
【図１】[0026]本開示の様々な態様による、ワイヤレス通信システムの例を示す図。
【図２】[0027]本開示の様々な態様による、免許不要無線周波数スペクトル帯域を使用する様々な状況の下でＬＴＥ（登録商標）／ＬＴＥ−Ａが展開され得るワイヤレス通信システムを示す図。
【図３】[0028]本開示の様々な態様による、免許不要無線周波数スペクトル帯域を通じたワイヤレス通信の例を示す図。
【図４】[0029]本開示の様々な態様による、免許不要無線周波数スペクトル帯域を通じたワイヤレス通信の例を示す図。
【図５】[0030]本開示の様々な態様による、免許不要無線周波数スペクトル帯域を通じたワイヤレス通信の例を示す図。
【図６】[0031]本開示の様々な態様による、免許不要無線周波数スペクトル帯域を通じたワイヤレス通信の例を示す図。
【図７】[0032]本開示の様々な態様による、コンポーネントキャリア帯域幅を占有するために、免許不要無線周波数スペクトル帯域を介して基準信号および／または同期信号がどのように送信され得るかの例を示す図。
【図８】[0033]本開示の様々な態様による、ワイヤレス通信において使用するためのワイヤレスデバイスのブロック図。
【図９】[0034]本開示の様々な態様による、ワイヤレス通信において使用するためのワイヤレスデバイスのブロック図。
【図１０】[0035]本開示の様々な態様による、ワイヤレス通信において使用するためのワイヤレスデバイスのブロック図。
【図１１】[0036]本開示の様々な態様による、ワイヤレス通信において使用するためのワイヤレスデバイスのブロック図。
【図１２】[0037]本開示の様々な態様による、ワイヤレス通信において使用するためのＵＥのブロック図。
【図１３】[0038]本開示の様々な態様による、ワイヤレス通信において使用するための基地局（たとえば、ｅＮＢの一部またはすべてを形成する基地局）のブロック図。
【図１４】[0039]本開示の様々な態様による、基地局とＵＥとを含む多入力多出力（ＭＩＭＯ）通信システムのブロック図。
【図１５Ａ】[0040]本開示の様々な態様による、ワイヤレス通信のための方法の例を示すフローチャート。
【図１５Ｂ】[0041]本開示の様々な態様による、ワイヤレス通信のための方法の例を示すフローチャート。
【図１６】[0042]本開示の様々な態様による、ワイヤレス通信のための方法の例を示すフローチャート。
【図１７Ａ】[0043]本開示の様々な態様による、ワイヤレス通信のための方法の例を示すフローチャート。
【図１７Ｂ】[0044]本開示の様々な態様による、ワイヤレス通信のための方法の例を示すフローチャート。
【図１８】[0045]本開示の様々な態様による、ワイヤレス通信のための方法の例を示すフローチャート。
【発明を実施するための形態】
【００２７】
[0046]ワイヤレス通信システムを通じた通信の少なくとも一部分のために免許不要無線周波数スペクトル帯域のような免許無線周波数スペクトル帯域が使用される技法が説明される。いくつかの例では、無線周波数スペクトル帯域は、Ｌｏｎｇ  Ｔｅｒｍ  Ｅｖｏｌｕｔｉｏｎ（ＬＴＥ）通信および／またはＬＴＥ−Ａｄｖａｎｃｅｄ（ＬＴＥ−Ａ）通信のために使用され得る。無線周波数スペクトル帯域が免許不要無線周波数スペクトル帯域である例では、免許不要無線周波数スペクトル帯域は、免許無線周波数スペクトル帯域と組み合わせて、または免許無線周波数スペクトル帯域から独立して使用され得る。いくつかの例では、免許不要無線周波数スペクトル帯域は、Ｗｉ−Ｆｉ（登録商標）用途のような免許不要の用途に少なくとも部分的に利用可能であるのでデバイスがアクセスを争う必要があり得る無線周波数スペクトル帯域であり得る。
【００２８】
[0047]免許無線周波数スペクトル帯域を使用するセルラーネットワークにおけるデータトラフィックの増加とともに、免許不要無線周波数スペクトル帯域への少なくとも一部のデータトラフィックのオフロードは、セルラー事業者（たとえば、パブリックランドモバイルネットワーク（ＰＬＭＮ）および／またはＬＴＥ／ＬＴＥ−Ａネットワークのようなセルラーネットワークを定義する基地局の協調セットの事業者）にデータ送信容量の増強のための機会を与え得る。上述のように、免許不要無線周波数スペクトル帯域を介して通信する前に、デバイスは、免許不要無線周波数スペクトル帯域のチャネルが利用可能であるかどうかを決定するために、ＣＣＡ手順（または拡張ＣＣＡ手順）を実行し得る。チャネルが利用可能ではないと決定されたとき、ＣＣＡ手順（または拡張ＣＣＡ手順）が後で再びチャネルに関して実行され得る。したがって、いつ基地局が免許不要無線周波数スペクトル帯域を介して送信することが可能になるかについての不確実性が存在する。また、免許不要無線周波数スペクトル帯域のチャネルを介してＵＥに送信すべきデータを基地局が有しない無線フレームがあり得る。これらの要因の両方は、基地局がディスカバリ信号を送信できる頻度を低下させる傾向があり、ディスカバリ信号は、基地局を発見すること、および／または基地局と同期することを試みているＵＥにとって有用であり得るので、ディスカバリ信号のより規則的および／またはロバストな送信を可能にする方法および装置が有用であり得る。
【００２９】
[0048]いくつかの例では、本明細書で説明される技法は、基地局に免許不要無線周波数スペクトル帯域のチャネルへのアクセスを争わせること、および基地局がチャネルへのアクセスを正常に争うときに、基地局に免許不要無線周波数スペクトル帯域のチャネルを介してディスカバリ信号を送信させることによって、ディスカバリ信号がＵＥによって受信される可能性を高め得る。ＵＥは、ディスカバリ信号を検出し、次いで、チャネル上にさらなるトラフィックがないことを検出すると、ＵＥの受信機の電源を選択的に切断することができる。いくつかの例では、本明細書で説明される技法は、同じくまたは代替的に、ディスカバリ信号がＵＥによって受信され復号される可能性が高くなるように、ディスカバリ信号の送信をフォーマットする（たとえば、構成する）ことができる。いくつかの例では、本明細書で説明される技法は、同じくまたは代替的に、狭帯域測定を行うＵＥの能力を改善し得る。
【００３０】
[0049]以下の説明は、例を与えるものであり、特許請求の範囲に記載される範囲、適用可能性、または例を限定するものではない。本開示の範囲から逸脱することなく、論じられる要素の機能および構成に変更が行われ得る。様々な例は、適宜、様々な手順または構成要素を省略し、置換し、または追加し得る。たとえば、説明される方法は、説明される順序とは異なる順序で実行されてよく、様々なステップが追加され、省略され、または組み合わせられてよい。また、いくつかの例に関して説明される特徴は、他の例では組み合わせられ得る。
【００３１】
[0050]図１は、本開示の様々な態様による、ワイヤレス通信システム１００の例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を介してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ１など）を介して互いに直接または間接的に（たとえば、コアネットワーク１３０を介して）通信し得る。
【００３２】
[0051]基地局１０５は、１つまたは複数の基地局アンテナを介してＵＥ１１５とワイヤレス通信し得る。基地局１０５の各々は、それぞれの地理的カバレージエリア１１０に通信カバレージを提供し得る。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示されず）に分割され得る。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００３３】
[0052]いくつかの例では、ワイヤレス通信システム１００は、ＬＴＥ／ＬＴＥ−Ａ通信システム（またはネットワーク）を含んでよく、このＬＴＥ／ＬＴＥ−Ａ通信システムは、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）における、動作または展開の１つまたは複数のモードをサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ＮｏｄｅＢまたはｅＮＢという用語は、たとえば、基地局１０５の複数またはグループを表すために使用され得る。
【００３４】
[0053]ワイヤレス通信システム１００は、異なるタイプのｅＮＢが様々な地理的領域にカバレージを提供する、異種ＬＴＥ／ＬＴＥ−Ａネットワークであり得る、または異種ＬＴＥ／ＬＴＥ−Ａネットワークを含み得る。たとえば、各ｅＮＢまたは基地局１０５は、マクロセル、スモールセル、および／または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００３５】
[0054]マクロセルは、概して、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、免許、免許不要などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３６】
[0055]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３７】
[0056]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤは、論理チャネルを介して通信するためにパケットセグメンテーションとリアセンブルとを実行し得る。媒体アクセス制御（ＭＡＣ）レイヤは、優先順位処理と、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用することができ得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３８】
[0057]ＵＥ１１５は、ワイヤレス通信システム１００全体にわたって分散され得、各ＵＥ１１５は固定式または移動式であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３９】
[0058]ワイヤレス通信システム１００に示された通信リンク１２５は、基地局１０５からＵＥ１１５へのダウンリンク（ＤＬ）送信、および／またはＵＥ１１５から基地局１０５へのアップリンク（ＵＬ）送信を含み得る。ダウンリンク送信は順方向リンク送信と呼ばれることもあり、一方、アップリンク送信は逆方向リンク送信と呼ばれることもある。いくつかの例では、ＤＬ送信は、たとえば、基準信号および／または同期信号を含む、ディスカバリ信号の送信を含み得る。
【００４０】
[0059]いくつかの例では、各通信リンク１２５は１つまたは複数のキャリアを含み得、ここで、各キャリアは、上で説明された様々な無線技術に従って変調された複数のサブキャリア（たとえば、異なる周波数の波形信号）から成る信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４１】
[0060]各キャリアは、免許無線周波数スペクトル帯域または免許不要無線周波数スペクトル帯域を介して与えられてよく、特定の通信モードで使用されるキャリアのセットは、すべてが（たとえば、ＵＥ１１５において）免許無線周波数スペクトル帯域を介して受信されるか、すべてが（たとえば、ＵＥ１１５において）免許不要無線周波数スペクトル帯域を介して受信されるか、または（たとえば、ＵＥ１１５において）免許無線周波数スペクトル帯域と免許不要無線周波数スペクトル帯域との組合せを介して受信され得る。
【００４２】
[0061]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコーディング済みデータを搬送する複数の空間レイヤを送信するために、マルチパス環境を利用し得る多入力多出力（ＭＩＭＯ）技法を採用し得る。
【００４３】
[0062]ワイヤレス通信システム１００は、複数のセルまたはキャリア上での動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４４】
[0063]ワイヤレス通信システム１００のいくつかの例では、ＬＴＥ／ＬＴＥ−Ａは、免許不要無線周波数スペクトル帯域を使用する様々な状況の下で展開され得る。展開の状況は、免許無線周波数スペクトル帯域におけるＬＴＥ／ＬＴＥ−Ａダウンリンク通信が免許不要無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方が免許無線周波数スペクトル帯域から免許不要無線周波数スペクトル帯域にオフロードされ得るキャリアアグリゲーションモード、および／または基地局１０５とＵＥ１１５との間のＬＴＥ／ＬＴＥ−Ａダウンリンク通信およびＬＴＥ／ＬＴＥ−Ａアップリンク通信が免許不要無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。いくつかの例では、ＯＦＤＭＡ波形は、免許無線周波数スペクトル帯域および／または免許不要無線周波数スペクトル帯域におけるＬＴＥ／ＬＴＥ−Ａダウンリンク通信のために通信リンク１２５において使用されてよく、ＯＦＤＭＡ、ＳＣ−ＦＤＭＡ、および／またはリソースブロックインターリーブＦＤＭＡ波形は、免許無線周波数スペクトル帯域および／または免許不要無線周波数スペクトル帯域におけるＬＴＥ／ＬＴＥ−Ａアップリンク通信のために通信リンク１２５において使用されてよい。
【００４５】
[0064]図２は、本開示の様々な態様による、免許不要無線周波数スペクトル帯域を使用する様々な状況の下でＬＴＥ／ＬＴＥ−Ａが展開され得るワイヤレス通信システム２００を示す。より具体的には、図２は、免許不要無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照して説明されたワイヤレス通信システム１００の部分の例であり得る。その上、第１の基地局２０５および第２の基地局２０６は、図１を参照して説明された基地局１０５のうちの１つまたは複数の態様の例であってよく、第１のＵＥ２１５、第２のＵＥ２１６、第３のＵＥ２１７、および第４のＵＥ２１８は、図１を参照して説明されたＵＥ１１５のうちの１つまたは複数の態様の例であってよい。
【００４６】
[0065]ワイヤレス通信システム２００における補助ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、免許不要無線周波数スペクトル帯域における周波数Ｆ１に関連付けられ得る。第１の基地局２０５は、第１の双方向リンク２２５を使用して第１のＵＥ２１５にＯＦＤＭＡ波形を送信することができ、第１の双方向リンク２２５を使用して第１のＵＥ２１５からＳＣ−ＦＤＭＡ波形を受信することができる。第１の双方向リンク２２５は、免許無線周波数スペクトル帯域における周波数Ｆ４に関連付けられ得る。免許不要無線周波数スペクトル帯域におけるダウンリンクチャネル２２０および免許無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、免許無線周波数スペクトル帯域を使用し、トラフィックおよび／またはシグナリングの混雑の一部を緩和する必要がある、任意のサービスプロバイダ（たとえば、モバイルネットワーク事業者（ＭＮＯ））に対して生じ得る。
【００４７】
[0066]ワイヤレス通信システム２００におけるキャリアアグリゲーションモードの一例では、第１の基地局２０５は、第２の双方向リンク２３０を使用して第２のＵＥ２１６にＯＦＤＭＡ波形を送信することができ、第２の双方向リンク２３０を使用して第２のＵＥ２１６からＯＦＤＭＡ波形、ＳＣ−ＦＤＭＡ波形、および／またはリソースブロックインターリーブＦＤＭＡ波形を受信することができる。第２の双方向リンク２３０は、免許不要無線周波数スペクトル帯域における周波数Ｆ１に関連付けられ得る。第１の基地局２０５はまた、第３の双方向リンク２３５を使用して第２のＵＥ２１６にＯＦＤＭＡ波形を送信することができ、第３の双方向リンク２３５を使用して第２のＵＥ２１６からＳＣ−ＦＤＭＡ波形を受信することができる。第３の双方向リンク２３５は、免許無線周波数スペクトル帯域における周波数Ｆ２に関連付けられ得る。第２の双方向リンク２３０は、第１の基地局２０５のためにダウンリンクおよびアップリンクの容量オフロードを提供し得る。上で説明された補助ダウンリンクのように、この状況は、免許無線周波数スペクトルを使用し、トラフィックおよび／またはシグナリングの混雑の一部を緩和する必要がある、任意のサービスプロバイダ（たとえば、ＭＮＯ）に対して生じ得る。
【００４８】
[0067]ワイヤレス通信システム２００におけるキャリアアグリゲーションモードの別の例では、第１の基地局２０５は、第４の双方向リンク２４０を使用して第３のＵＥ２１７にＯＦＤＭＡ波形を送信することができ、第４の双方向リンク２４０を使用して第３のＵＥ２１７からＯＦＤＭＡ波形、ＳＣ−ＦＤＭＡ波形、および／またはリソースブロックインターリーブ波形を受信することができる。第４の双方向リンク２４０は、免許不要無線周波数スペクトル帯域における周波数Ｆ３に関連付けられ得る。第１の基地局２０５はまた、第５の双方向リンク２４５を使用して第３のＵＥ２１７にＯＦＤＭＡ波形を送信することができ、第５の双方向リンク２４５を使用して第３のＵＥ２１７からＳＣ−ＦＤＭＡ波形を受信することができる。第５の双方向リンク２４５は、免許無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上で与えられた例は説明の目的で提示され、容量オフロードのために、免許無線周波数スペクトル帯域におけるＬＴＥ／ＬＴＥ−Ａを組み合わせ、免許不要無線周波数スペクトル帯域を使用する他の同様の動作モードまたは展開状況があり得る。
【００４９】
[0068]上で説明されたように、免許不要無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ免許無線周波数スペクトル帯域へのアクセス権を有する従来のＭＮＯである。これらのサービスプロバイダについて、動作の例は、免許無線周波数スペクトル帯域上のＬＴＥ／ＬＴＥ−Ａ主要コンポーネントキャリア（ＰＣＣ）と免許不要無線周波数スペクトル帯域上の少なくとも１つの二次的コンポーネントキャリア（ＳＣＣ）とを使用するブートストラップモード（たとえば、補助ダウンリンク、キャリアアグリゲーション）を含み得る。
【００５０】
[0069]キャリアアグリゲーションモードでは、データおよび制御は、たとえば、（たとえば、第１の双方向リンク２２５と、第３の双方向リンク２３５と、第５の双方向リンク２４５とを介して）免許無線周波数スペクトル帯域において通信され得、データは、たとえば、（たとえば、第２の双方向リンク２３０と第４の双方向リンク２４０とを介して）免許不要無線周波数スペクトル帯域において通信され得る。免許不要無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５１】
[0070]ワイヤレス通信システム２００におけるスタンドアロンモードの一例では、第２の基地局２０６は、双方向リンク２５０を使用して第４のＵＥ２１８にＯＦＤＭＡ波形を送信することができ、双方向リンク２５０を使用して第４のＵＥ２１８からＯＦＤＭＡ波形、ＳＣ−ＦＤＭＡ波形、および／またはリソースブロックインターリーブＦＤＭＡ波形を受信することができる。双方向リンク２５０は、免許不要無線周波数スペクトル帯域における周波数Ｆ３に関連付けられ得る。スタンドアロンモードは、スタジアム内アクセス（たとえば、ユニキャスト、マルチキャスト）のような、非従来型のワイヤレスアクセスの状況において使用され得る。この動作モードのためのサービスプロバイダのタイプの例は、免許無線周波数スペクトル帯域へのアクセスを有しないスタジアム所有者、ケーブル会社、イベント主催者、ホテル、企業、または大企業であり得る。
【００５２】
[0071]いくつかの例では、図１および／または図２を参照して説明された基地局１０５、２０５、および／または２０６のうちの１つ、および／または図１および／または図２を参照して説明されたＵＥ１１５、２１５、２１６、２１７、および／または２１８のうちの１つのような送信装置は、免許不要無線周波数スペクトル帯域のチャネルに（たとえば、免許不要無線周波数スペクトル帯域の物理チャネルに）アクセスするためにゲーティング間隔を使用し得る。ゲーティング間隔は、欧州電気通信標準化機構（ＥＴＳＩ）（ＥＮ３０１  ８９３）において指定されているリッスンビフォアトーク（ＬＢＴ）プロトコルに基づくＬＢＴプロトコルのような、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）手順のようなコンテンション手順を実行する必要があるときを示し得る。ＣＣＡ手順の結果は、免許不要無線周波数スペクトル帯域のチャネルが（ＬＢＴ無線フレームまたはＣＣＡフレームとも呼ばれる）ゲーティング間隔に利用可能であるか、または使用中であるかを送信デバイスに示し得る。チャネルが、対応するＬＢＴ無線フレームに利用可能である（たとえば、使用のために「空いている」）ことをＣＣＡ手順が示すとき、送信装置は、ＬＢＴ無線フレームの一部またはすべての間に免許不要無線周波数スペクトル帯域のチャネルを予約および／または使用し得る。チャネルが利用可能ではないこと（たとえば、チャネルが別の装置によって使用中であるか、または予約されていること）をＣＣＡ手順が示すとき、送信装置は、ＬＢＴ無線フレームの間にチャネルを使用することを妨げられ得る。
【００５３】
[0072]いくつかの例では、送信装置が周期的に免許不要無線周波数スペクトル帯域のためのゲーティング間隔を生成し、ゲーティング間隔の少なくとも１つの境界を周期的間隔の少なくとも１つの境界と同期させることが有用であり得る。たとえば、共有無線周波数スペクトル帯域におけるセルラーダウンリンクのための周期的なゲーティング間隔を生成し、周期的なゲーティング間隔の少なくとも１つの境界をセルラーダウンリンクに関連付けられる周期的間隔（たとえば、周期的なＬＴＥ／ＬＴＥ−Ａ無線間隔）の少なくとも１つの境界と同期させることが有用であり得る。そのような同期の例が図３に示されている。
【００５４】
[0073]図３は、本開示の様々な態様による、免許不要無線周波数スペクトル帯域におけるセルラーダウンリンクのためのゲーティング間隔（またはＬＢＴ無線フレーム）の例３００を示す。第１のゲーティング間隔３０５、第２のゲーティング間隔３１５、および／または第３のゲーティング間隔３２５は、免許不要無線周波数スペクトル帯域を通じた送信をサポートするｅＮＢまたはＵＥによって周期的なゲーティング間隔として使用され得る。そのようなｅＮＢの例は、図１および／または図２を参照して説明された基地局１０５、２０５、および／または２０６を含んでよく、そのようなＵＥの例は、図１および／または図２を参照して説明されたＵＥ１１５、２１５、２１６、２１７、および／または２１８を含んでよい。第１のゲーティング間隔３０５、第２のゲーティング間隔３１５、および／または第３のゲーティング間隔３２５は、いくつかの例では、図１および／または図２を参照して説明されたワイヤレス通信システム１００および／または２００とともに使用され得る。
【００５５】
[0074]例として、第１のゲーティング間隔３０５の持続時間は、セルラーダウンリンクに関連付けられる周期的間隔のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が周期的間隔の持続時間のサイクリックプレフィックス（ＣＰ）持続時間内にあることを意味する。
【００５６】
[0075]第１のゲーティング間隔３０５の少なくとも１つの境界（たとえば、開始時間または終了時間）は、ＬＴＥ／ＬＴＥ−Ａ無線フレームＮ−１〜Ｎ＋１を含む周期的間隔の少なくとも１つの境界と同期され得る。いくつかの場合には、第１のゲーティング間隔３０５は、周期的間隔のフレーム境界と整合された境界を有し得る。他の場合には、第１のゲーティング間隔３０５は、周期的間隔のフレーム境界と同期されているが、それからオフセットされている境界を有し得る。たとえば、第１のゲーティング間隔３０５の境界は、周期的間隔のサブフレーム境界と整合されるか、または周期的間隔のサブフレーム中間点境界（たとえば、特定のサブフレームの中間点）と整合され得る。
【００５７】
[0076]場合によっては、周期的間隔は、ＬＴＥ／ＬＴＥ−Ａ無線フレームＮ−１〜Ｎ＋１と一致し得る。各ＬＴＥ／ＬＴＥ−Ａ無線フレーム３１０は、たとえば、１０ミリ秒の持続時間を有してよく、第１のゲーティング間隔３０５も１０ミリ秒の持続時間を有してよい。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００５８】
[0077]例として、第２のゲーティング間隔３１５および第３のゲーティング間隔３２５の持続時間は、セルラーダウンリンクに関連付けられる周期的間隔の持続時間の約数（またはそれの近似的な約数）であることが示されている。いくつかの例では、「の近似的な約数」は、第２のゲーティング間隔３１５および／または第３のゲーティング間隔３２５の持続時間が、周期的間隔の約数（たとえば、１／２または１／５）の持続時間のサイクリックプレフィックス（ＣＰ）持続時間内にあることを意味する。たとえば、第２のゲーティング間隔３１５は５ミリ秒の持続時間を有してよく、第３のゲーティング間隔３２５は２ミリ秒の持続時間を有してよい。第２のゲーティング間隔３１５または第３のゲーティング間隔３２５は、そのより短い持続時間が共有無線周波数スペクトル帯域のより頻繁な共有を容易にし得るので、第１のゲーティング間隔３０５よりも有利であり得る。
【００５９】
[0078]図４は、本開示の様々な態様による、免許不要無線周波数スペクトル帯域を通じたワイヤレス通信４１０の例４００を示す。いくつかの例では、免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。図４に示されるものの代替として、免許不要無線周波数スペクトル帯域は任意の無線周波数スペクトル帯域であってよい。
【００６０】
[0079]図４に示されるように、図３を参照して説明された第１のゲーティング間隔３０５のようなゲーティング間隔に対応し得るＬＢＴ無線フレーム４１５は、１０ミリ秒の持続時間を有してよく、いくつかのダウンリンク（Ｄ）サブフレーム４２０と、いくつかのアップリンク（Ｕ）サブフレーム４２５と、２つのタイプの特別なサブフレーム、Ｓサブフレーム４３０およびＳ’サブフレーム４３５とを含んでよい。Ｓサブフレーム４３０は、ダウンリンクサブフレーム４２０とアップリンクサブフレーム４２５との間の遷移を提供することができ、一方、Ｓ’サブフレーム４３５は、アップリンクサブフレーム４２５とダウンリンクサブフレーム４２０との間の遷移を提供することができる。Ｓ’サブフレーム４３５の間に、図１および／または図２を参照して説明された基地局１０５、２０５、および／または２０６のうちの１つまたは複数のような１つまたは複数の基地局によって、ワイヤレス通信４１０が行われるチャネル（たとえば、コンポーネントキャリア）をある時間期間の間予約するために、ＣＣＡ４４０（たとえば、ダウンリンクＣＣＡ）が実行され得る。いくつかの例では、ＣＣＡは、免許不要無線周波数スペクトル帯域への正常なコンテンションが単一のＣＣＡに依存する、ＬＢＴフレームベースの機器（ＬＢＴ−ＦＢＥ）プロトコルに従って動作する基地局のために実行されるＣＣＡであり得る。Ｓサブフレーム４３０の間に、図１および／または図２を参照して説明されたＵＥ１１５、２１５、２１６、２１７、および／または２１８のうちの１つまたは複数のような１つまたは複数のＵＥによって、ワイヤレス通信４１０が行われるチャネル（たとえば、コンポーネントキャリア）をある時間期間の間予約するために、ＣＣＡ４５０（たとえば、アップリンクＣＣＡ）が実行され得る。
【００６１】
[0080]基地局による成功したＣＣＡ４４０に続いて、基地局は、基地局がチャネルを予約したという表示を他の基地局、ＵＥ、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、チャネル使用ビーコン信号（ＣＵＢＳ））４４５を送信し得る。チャネル使用インジケータ４４５は、基地局による送信のためだけではなく、それのＵＥによるアップリンク送信のためにも、チャネルを予約し得る。チャネル使用インジケータ４４５はまた、基地局がワイヤレスデバイスにデータを送信する前に、ワイヤレスデバイスによる自動利得制御（ＡＧＣ）およびトラッキングループ更新のための信号を提供し得る。いくつかの例では、チャネル使用インジケータ４４５は、複数のインターリーブリソースブロックを使用して送信され得る。この方式でチャネル使用インジケータ４４５を送信することで、チャネル使用インジケータ４４５は、免許不要無線周波数スペクトル帯域における利用可能な周波数帯域幅の少なくともある割合を占有し、１つまたは複数の規制上の要件（たとえば、チャネル使用インジケータ４４５が利用可能な周波数帯域幅の少なくとも８０％を占有するという要件）を満たすことが可能になり得る。チャネル使用インジケータ４４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＣＣＡ４４０が失敗したとき、チャネル使用インジケータ４４５および後続ダウンリンク送信は送信されない。ＵＥによる成功したＣＣＡ４５０に続いて、ＵＥは、ＵＥがチャネルを予約したという表示を他のＵＥ、基地局、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、ＣＵＢＳ）４５５を送信し得る。
【００６２】
[0081]ＣＣＡ４４０またはＣＣＡ４５０が成功したとき、成功したＣＣＡを実行した基地局またはＵＥによって、いくつかのディスカバリ信号（たとえば、基準シンボルおよび／または同期信号）が送信され得る。基準信号および／または同期信号は、免許不要無線周波数スペクトル帯域を介して送信され得る。いくつかの例では、基準信号および／または同期信号は、１つまたは複数のサブフレームの１つまたは複数のＯＦＤＭシンボルにおいて送信され得る。いくつかの例では、成功したＣＣＡ４４０に続いて送信される基準信号および／または同期信号は、ＬＢＴ無線フレーム４１５の第１のサブフレーム（たとえば、ＳＦ０）および／または第６のサブフレーム（たとえば、ＳＦ５）において送信され得る。
【００６３】
[0082]図４に示されるように、ＬＢＴ無線フレーム４１５の第１のサブフレームおよび／または第６のサブフレームは、複数のＯＦＤＭシンボル（たとえば、０〜１３の番号を付された、１４個のＯＦＤＭシンボル）を含み得る。
【００６４】
[0083]ＬＢＴ無線フレーム４１５の第１のサブフレームおよび／または第６のサブフレームにおいて送信／受信され得る第１のＯＦＤＭシンボル（たとえば、ＯＦＤＭシンボル０）は、セル固有基準信号（ＣＲＳ）またはチャネル状態情報基準信号（ＣＳＩ−ＲＳ）であり得る複数のＲＳを含み得る。第１のＯＦＤＭシンボルの第１の部分４６０は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分４６０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分４６０は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは、複数の拡張または発展型ＣＲＳ（ｅＣＲＳ）を含み得る。
【００６５】
[0084]ＬＢＴ無線フレーム４１５の第１のサブフレームおよび／または第６のサブフレームにおいて送信／受信され得る第２のＯＦＤＭシンボル（たとえば、ＯＦＤＭシンボル１）は、第１の同期信号４６５を含み得る。いくつかの例では、第１の同期信号４６５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号４６５は、複数のサブキャリア（たとえば、免許不要無線周波数スペクトル帯域のコンポーネントキャリアのサブキャリアの中央セット）に関連付けられ得る。
【００６６】
[0085]いくつかの例では、第１の同期信号４６５は、複数のＲＳと同じアンテナポートを介して受信され得る。いくつかの例では、第１のＯＦＤＭシンボルは、物理ダウンリンク制御チャネル（ＰＤＣＣＨ）、物理ダウンリンク共有チャネル（ＰＤＳＣＨ）、および／または物理マルチキャストチャネル（ＰＭＣＨ）のうちの少なくとも１つをさらに含み得る。いくつかの例では、ＰＤＣＣＨは拡張もしくは発展型ＰＤＣＣＨ（ｅＰＤＣＣＨ）を含むことができ、ＰＤＳＣＨは拡張もしくは発展型ＰＤＳＣＨ（ｅＰＤＳＣＨ）を含むことができ、および／またはＰＭＣＨは拡張もしくは発展型ＰＭＣＨ（ｅＰＭＣＨ）を含むことができる。いくつかの例では、第２のＯＦＤＭシンボルは、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨは拡張もしくは発展型ＰＢＣＨ（ｅＰＢＣＨ）を含むことができる。いくつかの例では、ＲＳまたは埋め込みユーザ機器固有基準信号（ＵＥ−ＲＳ）は、ＰＢＣＨのための位相基準を提供し得る。
【００６７】
[0086]方法のいくつかの例では、ＰＤＣＣＨ、ＰＤＳＣＨ、および／またはＰＭＣＨが、第３のＯＦＤＭ（たとえば、ＯＦＤＭシンボル２）から第１４のＯＦＤＭシンボル（たとえば、ＯＦＤＭシンボル１３）のうちの１つまたは複数の間に受信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第８のＯＦＤＭシンボル（たとえば、ＯＦＤＭシンボル７）は、第１のＯＦＤＭシンボルと同様に構成され得る。
【００６８】
[0087]いくつかの例では、ＵＥは、受信された第１の同期信号４６５に少なくとも部分的に基づいて、基地局と同期することができる。
【００６９】
[0088]図５は、本開示の様々な態様による、免許不要無線周波数スペクトル帯域を通じたワイヤレス通信５１０の例５００を示す。いくつかの例では、免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。図５に示されるものの代替として、免許不要無線周波数スペクトル帯域は任意の無線周波数スペクトル帯域であってよい。
【００７０】
[0089]図５に示されるように、図３を参照して説明された第１のゲーティング間隔３０５のようなゲーティング間隔に対応し得るＬＢＴ無線フレーム５１５は、１０ミリ秒の持続時間を有してよく、いくつかのダウンリンク（Ｄ）サブフレーム５２０と、いくつかのアップリンク（Ｕ）サブフレーム５２５と、２つのタイプの特別なサブフレーム、Ｓサブフレーム５３０およびＳ’サブフレーム５３５とを含んでよい。Ｓサブフレーム５３０は、ダウンリンクサブフレーム５２０とアップリンクサブフレーム５２５との間の遷移を提供することができ、一方、Ｓ’サブフレーム５３５は、アップリンクサブフレーム５２５とダウンリンクサブフレーム５２０との間の遷移を提供することができる。Ｓ’サブフレーム５３５の間に、図１および／または図２を参照して説明された基地局１０５、２０５、および／または２０６のうちの１つまたは複数のような１つまたは複数の基地局によって、ワイヤレス通信５１０が行われるチャネル（たとえば、コンポーネントキャリア）をある時間期間の間予約するために、ＣＣＡ５４０（たとえば、ダウンリンクＣＣＡ）が実行され得る。いくつかの例では、ＣＣＡは、免許不要無線周波数スペクトル帯域への正常なコンテンションが単一のＣＣＡに依存する、ＬＢＴフレームベースの機器（ＬＢＴ−ＦＢＥ）プロトコルに従って動作する基地局のために実行されるＣＣＡであり得る。Ｓサブフレーム５３０の間に、図１および／または図２を参照して説明されたＵＥ１１５、２１５、２１６、２１７、および／または２１８のうちの１つまたは複数のような１つまたは複数のＵＥによって、ワイヤレス通信５１０が行われるチャネル（たとえば、コンポーネントキャリア）をある時間期間の間予約するために、ＣＣＡ５５０（たとえば、アップリンクＣＣＡ）が実行され得る。
【００７１】
[0090]基地局による成功したＣＣＡ５４０に続いて、基地局は、基地局がチャネルを予約したという表示を他の基地局、ＵＥ、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、チャネル使用ビーコン信号（ＣＵＢＳ））５４５を送信し得る。チャネル使用インジケータ５４５は、基地局による送信のためだけではなく、それのＵＥによるアップリンク送信のためにも、チャネルを予約し得る。チャネル使用インジケータ５４５はまた、基地局がワイヤレスデバイスにデータを送信する前に、ワイヤレスデバイスによる自動利得制御（ＡＧＣ）およびトラッキングループ更新のための信号を提供し得る。いくつかの例では、チャネル使用インジケータ５４５は、複数のインターリーブリソースブロックを使用して送信され得る。この方式でチャネル使用インジケータ５４５を送信することで、チャネル使用インジケータ５４５は、免許不要無線周波数スペクトル帯域における利用可能な周波数帯域幅の少なくともある割合を占有し、１つまたは複数の規制上の要件（たとえば、チャネル使用インジケータ５４５が利用可能な周波数帯域幅の少なくとも８０％を占有するという要件）を満たすことが可能になり得る。チャネル使用インジケータ５４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＣＣＡ５４０が失敗したとき、チャネル使用インジケータ５４５および後続ダウンリンク送信は送信されない。ＵＥによる成功したＣＣＡ５５０に続いて、ＵＥは、ＵＥがチャネルを予約したという表示を他のＵＥ、基地局、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、ＣＵＢＳ）５５５を送信し得る。
【００７２】
[0091]ＣＣＡ５４０またはＣＣＡ５５０が成功したとき、成功したＣＣＡを実行した基地局またはＵＥによって、いくつかのディスカバリ信号（たとえば、基準シンボルおよび／または同期信号）が送信され得る。基準信号および／または同期信号は、免許不要無線周波数スペクトル帯域を介して送信され得る。いくつかの例では、基準信号および／または同期信号は、１つまたは複数のサブフレームの１つまたは複数のＯＦＤＭシンボルにおいて送信され得る。いくつかの例では、成功したＣＣＡ５４０に続いて送信される基準信号および／または同期信号は、ＬＢＴ無線フレーム５１５の第１のサブフレーム（たとえば、ＳＦ０）および／または第６のサブフレーム（たとえば、ＳＦ５）において送信され得る。
【００７３】
[0092]図５に示されるように、ＬＢＴ無線フレーム５１５の第１のサブフレームおよび／または第６のサブフレームは、複数のＯＦＤＭシンボル（たとえば、０〜１３の番号を付された、１４個のＯＦＤＭシンボル）を含み得る。
【００７４】
[0093]ＬＢＴ無線フレーム５１５の第１のサブフレームおよび／または第６のサブフレームにおいて送信／受信され得る第１のＯＦＤＭシンボル（たとえば、ＯＦＤＭシンボル０）は、セル固有基準信号（ＣＲＳ）またはチャネル状態情報基準信号（ＣＳＩ−ＲＳ）であり得る複数のＲＳを含み得る。第１のＯＦＤＭシンボルの第１の部分５６０は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分５６０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分５６０は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。
【００７５】
[0094]ＬＢＴ無線フレーム５１５の第１のサブフレームおよび／または第６のサブフレームにおいて送信／受信され得る第２のＯＦＤＭシンボル（たとえば、ＯＦＤＭシンボル１）は、第１の同期信号５６５を含み得る。いくつかの例では、第１の同期信号５６５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号５６５は、複数のサブキャリア（たとえば、免許不要無線周波数スペクトル帯域のコンポーネントキャリアのサブキャリアの中央セット）に関連付けられ得る。いくつかの例では、第１の同期信号５６５は二次同期信号（ＳＳＳ）を含み得る。いくつかの例では、ＳＳＳは、拡張または発展型ＳＳＳ（ｅＳＳＳ）を含み得る。
【００７６】
[0095]ＬＢＴ無線フレーム５１５の第１のサブフレームおよび／または第６のサブフレームにおいて送信／受信され得る第３のＯＦＤＭシンボル（たとえば、ＯＦＤＭシンボル２）は、第２の同期信号５７０を含み得る。いくつかの例では、第２の同期信号５７０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号５７０は、複数のサブキャリア（たとえば、免許不要無線周波数スペクトル帯域のコンポーネントキャリアのサブキャリアの中央セット）に関連付けられ得る。いくつかの例では、第２の同期信号５７０は一次同期信号（ＰＳＳ）を含み得る。いくつかの例では、ＰＳＳは、拡張または発展型ＰＳＳ（ｅＰＳＳ）を含み得る。
【００７７】
[0096]ＬＢＴ無線フレーム５１５の第１のサブフレームおよび／または第６のサブフレームにおいて送信／受信され得る第４のＯＦＤＭシンボル（たとえば、ＯＦＤＭシンボル３）は、セル固有基準信号（ＣＲＳ）またはチャネル状態情報基準信号（ＣＳＩ−ＲＳ）であり得る複数のＲＳを含み得る。第４のＯＦＤＭシンボルの第１の部分５７５は、第４のＯＦＤＭシンボルの残存部分よりも高い密度のＲＳを含み得る。いくつかの例では、第４のＯＦＤＭシンボルの第１の部分５７５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分５７５は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、第１のＯＦＤＭシンボルの第１の部分５６０に含まれるリソースブロックおよび／またはサブキャリアは、第４のＯＦＤＭシンボルの第１の部分５７５に含まれる同じリソースブロックおよび／またはサブキャリアであり得る。いくつかの例では、複数のＲＳは複数のｅＣＲＳを含み得る。
【００７８】
[0097]いくつかの例では、第１の同期信号５６５および第２の同期信号５７０は、同じアンテナポートを介して受信され得る。いくつかの例では、第１の同期信号５６５および／または第２の同期信号５７０は、複数のＲＳと同じアンテナポートを介して受信され得る。いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第２のＯＦＤＭシンボルおよび／または第３のＯＦＤＭシンボルは、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【００７９】
[0098]方法のいくつかの例では、ＰＤＣＣＨ、ＰＤＳＣＨ、および／またはＰＭＣＨが、第５のＯＦＤＭ（たとえば、ＯＦＤＭシンボル４）から第１４のＯＦＤＭシンボル（たとえば、ＯＦＤＭシンボル１３）のうちの１つまたは複数の間に受信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第８のＯＦＤＭシンボル（たとえば、ＯＦＤＭシンボル７）および第１１のＯＦＤＭシンボル（たとえば、ＯＦＤＭシンボル１０）は、第１のＯＦＤＭシンボルおよび第４のＯＦＤＭシンボルと同様に構成され得る。
【００８０】
[0099]いくつかの例では、ＵＥは、受信された第１の同期信号５６５および／または第２の同期信号５７０に少なくとも部分的に基づいて、基地局と同期することができる。いくつかの例では、同期は、第１の同期信号５６５および第２の同期信号５７０のサンプルの相互相関を実行することと、サンプルの相互相関に少なくとも部分的に基づいて、基地局のタイミングを回復することとを含み得る。
【００８１】
[0100]図６は、本開示の様々な態様による、免許不要無線周波数スペクトル帯域を介したワイヤレス通信６１０の例６００を示す。いくつかの例では、免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。図６に示されるものの代替として、免許不要無線周波数スペクトル帯域は任意の無線周波数スペクトル帯域であってよい。
【００８２】
[0101]図６に示されるように、図３を参照して説明された第１のゲーティング間隔３０５のようなゲーティング間隔に対応し得るＬＢＴ無線フレーム６１５は、１０ミリ秒の持続時間を有してよく、いくつかのダウンリンク（Ｄ）サブフレーム６２０と、いくつかのアップリンク（Ｕ）サブフレーム６２５と、２つのタイプの特別なサブフレーム、Ｓサブフレーム６３０およびＳ’サブフレーム６３５とを含んでよい。Ｓサブフレーム６３０は、ダウンリンクサブフレーム６２０とアップリンクサブフレーム６２５との間の遷移を提供することができ、一方、Ｓ’サブフレーム６３５は、アップリンクサブフレーム６２５とダウンリンクサブフレーム６２０との間の遷移を提供することができる。Ｓ’サブフレーム６３５の間に、図１および／または図２を参照して説明された基地局１０５、２０５、および／または２０６のうちの１つまたは複数のような１つまたは複数の基地局によって、ワイヤレス通信６１０が行われるチャネル（たとえば、コンポーネントキャリア）をある時間期間の間予約するために、ＣＣＡ６４０（たとえば、ダウンリンクＣＣＡ）が実行され得る。いくつかの例では、ＣＣＡ６４０は、免許不要無線周波数スペクトル帯域への正常なコンテンションが複数のＮ個のＣＣＡの実行に依存する、ＬＢＴ負荷ベースの機器（ＬＢＴ−ＬＢＥ）プロトコルに従って動作する基地局のために実行される拡張ＣＣＡ（ＥＣＣＡ）の一部であり得る。Ｓサブフレーム６３０の間に、図１および／または図２を参照して説明されたＵＥ１１５、２１５、２１６、２１７、および／または２１８のうちの１つまたは複数のような１つまたは複数のＵＥによって、ワイヤレス通信６１０が行われるチャネル（たとえば、コンポーネントキャリア）をある時間期間の間予約するために、ＣＣＡ６５０（たとえば、アップリンクＣＣＡ）が実行され得る。
【００８３】
[0102]基地局による成功したＣＣＡ６４０に続いて、基地局は、基地局がチャネルを予約したという表示を他の基地局、ＵＥ、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、チャネル使用ビーコン信号（ＣＵＢＳ））６４５を送信し得る。チャネル使用インジケータ６４５は、基地局による送信のためだけではなく、それのＵＥによるアップリンク送信のためにも、チャネルを予約し得る。チャネル使用インジケータ６４５はまた、基地局がワイヤレスデバイスにデータを送信する前に、ワイヤレスデバイスによる自動利得制御（ＡＧＣ）およびトラッキングループ更新のための信号を提供し得る。いくつかの例では、チャネル使用インジケータ６４５は、複数のインターリーブリソースブロックを使用して送信され得る。この方式でチャネル使用インジケータ６４５を送信することで、チャネル使用インジケータ６４５は、免許不要無線周波数スペクトル帯域における利用可能な周波数帯域幅の少なくともある割合を占有し、１つまたは複数の規制上の要件（たとえば、チャネル使用インジケータ６４５が利用可能な周波数帯域幅の少なくとも８０％を占有するという要件）を満たすことが可能になり得る。チャネル使用インジケータ６４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＣＣＡ６４０が失敗したとき、チャネル使用インジケータ６４５および後続ダウンリンク送信は送信されない。ＵＥによる成功したＣＣＡ６５０に続いて、ＵＥは、ＵＥがチャネルを予約したという表示を他のＵＥ、基地局、および／または装置（たとえば、ワイヤレスデバイス、Ｗｉ−Ｆｉアクセスポイントなど）に提供するために、免許不要無線周波数スペクトル帯域を介してチャネル使用インジケータ（たとえば、ＣＵＢＳ）６５５を送信し得る。
【００８４】
[0103]例として、図６は、サブフレームＳＦ２の間に成功するＥＣＣＡを示す。ＣＣＡ６４０が成功したとき、成功したＣＣＡを実行した基地局またはＵＥによって、いくつかのディスカバリ信号（たとえば、基準シンボルおよび／または同期信号）が送信され得る。基準信号および／または同期信号は、免許不要無線周波数スペクトル帯域を介して送信され得る。いくつかの例では、基準信号および／または同期信号は、１つまたは複数のサブフレームの１つまたは複数のＯＦＤＭシンボルにおいて送信され得る。いくつかの例では、成功したＣＣＡ６４０に続いて送信される基準信号および／または同期信号は、ＬＢＴ無線フレーム６１５の成功したＣＣＡに続く第１のサブフレーム（たとえば、図７におけるＳＦ３）および／または第６のサブフレーム（たとえば、ＳＦ５）において送信され得る。
【００８５】
[0104]図６に示されるように、ＬＢＴ無線フレーム６１５の成功したＣＣＡ６４０に続く第１のサブフレーム（たとえば、第４のサブフレーム、ＳＦ３）および／または第６のサブフレーム、ＳＦ５は、複数のＯＦＤＭシンボル（たとえば、０〜１３の番号を付された、１４個のＯＦＤＭシンボル）を含み得る。
【００８６】
[0105]ＬＢＴ無線フレーム６１５の成功したＣＣＡに続く第１のサブフレームおよび／または第６のサブフレームにおいて送信／受信され得る第１のＯＦＤＭシンボル（たとえば、ＯＦＤＭシンボル０）は、セル固有基準信号（ＣＲＳ）またはチャネル状態情報基準信号（ＣＳＩ−ＲＳ）であり得る複数のＲＳを含み得る。第１のＯＦＤＭシンボルの第１の部分６６０は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分６６０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分６６０は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。
【００８７】
[0106]ＬＢＴ無線フレーム６１５の成功したＣＣＡに続く第１のサブフレームおよび／または第６のサブフレームにおいて送信／受信され得る第２のＯＦＤＭシンボル（たとえば、ＯＦＤＭシンボル１）は、第１の同期信号６６５を含み得る。いくつかの例では、第１の同期信号６６５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号６６５は、複数のサブキャリア（たとえば、免許不要無線周波数スペクトル帯域のコンポーネントキャリアのサブキャリアの中央セット）に関連付けられ得る。いくつかの例では、第１の同期信号６６５はＳＳＳを含み得る。いくつかの例では、ＳＳＳはｅＳＳＳを含み得る。
【００８８】
[0107]ＬＢＴ無線フレーム６１５の成功したＣＣＡに続く第１のサブフレームおよび／または第６のサブフレームにおいて送信／受信され得る第３のＯＦＤＭシンボル（たとえば、ＯＦＤＭシンボル２）は、第２の同期信号６７０を含み得る。いくつかの例では、第２の同期信号６７０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号６７０は、複数のサブキャリア（たとえば、免許不要無線周波数スペクトル帯域のコンポーネントキャリアのサブキャリアの中央セット）に関連付けられ得る。いくつかの例では、第２の同期信号６７０はＰＳＳを含み得る。いくつかの例では、ＰＳＳはｅＰＳＳを含み得る。
【００８９】
[0108]ＬＢＴ無線フレーム６１５の成功したＣＣＡに続く第１のサブフレームおよび／または第６のサブフレームにおいて送信／受信され得る第４のＯＦＤＭシンボル（たとえば、ＯＦＤＭシンボル３）は、セル固有基準信号（ＣＲＳ）またはチャネル状態情報基準信号（ＣＳＩ−ＲＳ）であり得る複数のＲＳを含み得る。第４のＯＦＤＭシンボルの第１の部分６７５は、第４のＯＦＤＭシンボルの残存部分よりも高い密度のＲＳを含み得る。いくつかの例では、第４のＯＦＤＭシンボルの第１の部分６７５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分６７５は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、第１のＯＦＤＭシンボルの第１の部分６６０に含まれるリソースブロックおよび／またはサブキャリアは、第４のＯＦＤＭシンボルの第１の部分６７５に含まれる同じリソースブロックおよび／またはサブキャリアであり得る。いくつかの例では、複数のＲＳは複数のｅＣＲＳを含み得る。
【００９０】
[0109]いくつかの例では、第１の同期信号６６５および第２の同期信号６７０は、同じアンテナポートを介して受信され得る。いくつかの例では、第１の同期信号６６５および／または第２の同期信号６７０は、複数のＲＳと同じアンテナポートを介して受信され得る。いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第２のＯＦＤＭシンボルおよび／または第３のＯＦＤＭシンボルは、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【００９１】
[0110]方法のいくつかの例では、ＰＤＣＣＨ、ＰＤＳＣＨ、および／またはＰＭＣＨが、第５のＯＦＤＭ（たとえば、ＯＦＤＭシンボル４）から第１４のＯＦＤＭシンボル（たとえば、ＯＦＤＭシンボル１３）のうちの１つまたは複数の間に受信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第８のＯＦＤＭシンボル（たとえば、ＯＦＤＭシンボル７）および第１１のＯＦＤＭシンボル（たとえば、ＯＦＤＭシンボル１０）は、第１のＯＦＤＭシンボルおよび第４のＯＦＤＭシンボルと同様に構成され得る。
【００９２】
[0111]いくつかの例では、ＵＥは、受信された第１の同期信号６６５および／または第２の同期信号６７０に少なくとも部分的に基づいて、基地局と同期することができる。いくつかの例では、同期は、第１の同期信号６６５および第２の同期信号６７０のサンプルの相互相関を実行することと、サンプルの相互相関に少なくとも部分的に基づいて、基地局のタイミングを回復することとを含み得る。
【００９３】
[0112]図７は、本開示の様々な態様による、コンポーネントキャリア帯域幅を占有するために、免許不要無線周波数スペクトル帯域を介してディスカバリ信号（たとえば、基準信号および／または同期信号）がどのように送信され得るかの例７００を示す。いくつかの例では、免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。図７に示されるものの代替として、免許不要無線周波数スペクトル帯域は任意の無線周波数スペクトル帯域であってよい。
【００９４】
[0113]図７に示されるように、いくつかのＯＦＤＭシンボル（たとえば、ＯＦＤＭシンボル０、１、２、および３）の各々は、複数のリソースブロック（たとえば、リソースブロック７０５、７１０、７１５、７２０、７２５、７３０など）を含み得る。各リソースブロックは、複数のサブキャリア（たとえば、１２個のサブキャリア）を含み得る。いくつかの例では、複数のＲＳが第１のＯＦＤＭシンボル（たとえば、ＯＦＤＭシンボル０）の第１の部分７６０および／または第４のＯＦＤＭシンボル（たとえば、ＯＦＤＭシンボル３）の第１の部分７７５において送信／受信されることがあり、第１の同期信号７６５（たとえば、ＳＳＳ）および／または第２の同期信号７７０（たとえば、ＰＳＳ）が第２のＯＦＤＭシンボル（たとえば、ＯＦＤＭシンボル１）および第３のＯＦＤＭシンボル（たとえば、ＯＦＤＭシンボル２）においてそれぞれ送信／受信されることがある。
【００９５】
[0114]いくつかの例では、第１のＯＦＤＭシンボルの第１の部分７６０および第４のＯＦＤＭシンボルの第１の部分７７５は、第１のＯＦＤＭシンボルおよび第４のＯＦＤＭシンボルの残存部分よりも高い密度のＲＳを含み得る。いくつかの例では、第１のＯＦＤＭシンボルの第１の部分７６０および／または第４のＯＦＤＭシンボルの第１の部分７７５は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）をそれぞれ含み得る。いくつかの例では、第１のＯＦＤＭシンボルの第１の部分７６０および／または第４のＯＦＤＭシンボルの第１の部分７７５は、複数のサブキャリア（たとえば、免許不要無線周波数スペクトル帯域のコンポーネントキャリアのサブキャリアの中央セット）に関連付けられ得る。いくつかの例では、第１のＯＦＤＭシンボルおよび／または第４のＯＦＤＭシンボルのサブキャリアの各々を介してＲＳが受信され得る。
【００９６】
[0115]いくつかの例では、第１の同期信号７６５および／または第２の同期信号７７０は、免許不要無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号７６５および／または第２の同期信号７７０は、複数のサブキャリア（たとえば、免許不要無線周波数スペクトル帯域のコンポーネントキャリアのサブキャリアの中央セット）に関連付けられ得る。
【００９７】
[0116]いくつかの例では、第１の同期信号７６５および第２の同期信号７７０は、同じアンテナポートを介して受信され得る。いくつかの例では、第１の同期信号７６５および／または第２の同期信号７７０は、複数のＲＳと同じアンテナポートを介して受信され得る。いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、第２のＯＦＤＭシンボルおよび／または第３のＯＦＤＭシンボルは、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【００９８】
[0117]いくつかの例では、免許不要無線周波数スペクトル帯域における利用可能な周波数帯域幅の少なくともある割合を占有し、１つまたは複数の規制上の要件（たとえば、利用可能な周波数帯域幅の少なくとも８０％が使用されるという要件）を満たす構成において、第１のＯＦＤＭシンボル、第２のＯＦＤＭシンボル、第３のＯＦＤＭシンボル、および／または第４のＯＦＤＭシンボルの間に信号が送信され得る。
【００９９】
[0118]いくつかの例では、ＲＳはｅＣＲＳを含むことができ、ＳＳＳはｅＳＳＳを含むことができ、および／またはＰＳＳはｅＰＳＳを含むことができる。
【０１００】
[0119]図８は、本開示の様々な態様による、ワイヤレス通信において使用するためのワイヤレスデバイス８１５のブロック図８００を示す。ワイヤレスデバイス８１５は、図１および／または図２を参照して説明されたＵＥ１１５、２１５、２１６、２１７、および／または２１８のうちの１つまたは複数の態様の例であり得る。ワイヤレスデバイス８１５はまた、プロセッサであるか、またはプロセッサを含み得る。ワイヤレスデバイス８１５は、受信機モジュール８１０、ワイヤレス通信管理モジュール８２０、および／または送信機モジュール８３０を含み得る。これらのモジュールの各々は、互いに通信していることがある。
【０１０１】
[0120]ワイヤレスデバイス８１５のモジュールは、ハードウェアにおいて適用可能な機能の一部またはすべてを実行するように適応された１つまたは複数の特定用途向け集積回路（ＡＳＩＣ）を使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、フィールドプログラマブルゲートアレイ（ＦＰＧＡ）、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に組み込まれた命令を用いて実装され得る。
【０１０２】
[0121]いくつかの例では、受信機モジュール８１０は、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール８１０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１０３】
[0122]いくつかの例では、送信機モジュール８３０は、免許無線周波数スペクトル帯域および／または免許不要無線周波数スペクトル帯域を介して送信するように動作可能な少なくとも１つのＲＦ送信機のような、少なくとも１つのＲＦ送信機を含み得る。送信機モジュール８３０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１０４】
[0123]いくつかの例では、ワイヤレス通信管理モジュール８２０は、ワイヤレスデバイス８１５のためのワイヤレス通信の１つまたは複数の態様を管理するために使用され得る。いくつかの例では、ワイヤレス通信管理モジュール８２０は、基準信号（ＲＳ）処理モジュール８３５と、随意に同期信号処理モジュール８４０とを含み得る。ＲＳ処理モジュール８３５と同期信号処理モジュール８４０の両方が設けられているとき、これらのモジュールの各々は、互いに通信していることがある。
【０１０５】
[0124]いくつかの例では、ＲＳ処理モジュール８３５は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを受信するために使用され得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。
【０１０６】
[0125]いくつかの例では、同期信号処理モジュール８４０は、無線周波数スペクトル帯域を介して、第１の同期信号を含む第２のＯＦＤＭシンボルを受信するために使用され得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。
【０１０７】
[0126]ワイヤレスデバイス８１５のいくつかの例では、受信されるＯＦＤＭシンボルは、免許不要無線周波数スペクトル帯域を介して受信され得る。ワイヤレスデバイス８１５のいくつかの例では、受信されるＯＦＤＭシンボルは、免許無線周波数スペクトル帯域を介して受信され得る。
【０１０８】
[0127]図９は、本開示の様々な態様による、ワイヤレス通信において使用するためのワイヤレスデバイス９１５のブロック図９００を示す。ワイヤレスデバイス９１５は、図１および／または図２を参照して説明されたＵＥ１１５、２１５、２１６、２１７、および／または２１８のうちの１つもしくは複数の態様、および／または図８を参照して説明されたワイヤレスデバイス８１５の態様の例であり得る。ワイヤレスデバイス９１５はまた、プロセッサであるか、またはプロセッサを含み得る。ワイヤレスデバイス９１５は、受信機モジュール９１０、ワイヤレス通信管理モジュール９２０、および／または送信機モジュール９３０を含み得る。これらのモジュールの各々は、互いに通信していることがある。
【０１０９】
[0128]ワイヤレスデバイス９１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に組み込まれた命令を用いて実装され得る。
【０１１０】
[0129]いくつかの例では、受信機モジュール９１０は、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール９１０は、場合によっては、免許無線周波数スペクトル帯域および免許不要無線周波数スペクトル帯域のための別個の受信機を含み得る。別個の受信機は、いくつかの例では、免許無線周波数スペクトル帯域を介して通信するためのＬＴＥ／ＬＴＥ−Ａ受信機モジュール（たとえば、免許ＲＦスペクトル帯域のためのＬＴＥ／ＬＴＥ−Ａ受信機モジュール９１２）、および免許不要無線周波数スペクトル帯域を介して通信するためのＬＴＥ／ＬＴＥ−Ａ受信機モジュール（たとえば、免許不要ＲＦスペクトル帯域のためのＬＴＥ／ＬＴＥ−Ａ受信機モジュール９１４）の形態をとり得る。免許ＲＦスペクトル帯域のためのＬＴＥ／ＬＴＥ−Ａ受信機モジュール９１２および／または免許不要ＲＦスペクトル帯域のためのＬＴＥ／ＬＴＥ−Ａ受信機モジュール９１４を含む、受信機モジュール９１０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１１１】
[0130]いくつかの例では、送信機モジュール９３０は、免許無線周波数スペクトル帯域および／または免許不要無線周波数スペクトル帯域を介して送信するように動作可能な少なくとも１つのＲＦ送信機のような、少なくとも１つのＲＦ送信機を含み得る。送信機モジュール９３０は、場合によっては、免許無線周波数スペクトル帯域および免許不要無線周波数スペクトル帯域のための別個の送信機を含み得る。別個の送信機は、いくつかの例では、免許無線周波数スペクトル帯域を介して通信するためのＬＴＥ／ＬＴＥ−Ａ送信機モジュール（たとえば、免許ＲＦスペクトル帯域のためのＬＴＥ／ＬＴＥ−Ａ送信機モジュール９３２）、および免許不要無線周波数スペクトル帯域を介して通信するためのＬＴＥ／ＬＴＥ−Ａ送信機モジュール（たとえば、免許不要ＲＦスペクトル帯域のためのＬＴＥ／ＬＴＥ−Ａ送信機モジュール９３４）の形態をとり得る。免許ＲＦスペクトル帯域のためのＬＴＥ／ＬＴＥ−Ａ送信機モジュール９３２および／または免許不要ＲＦスペクトル帯域のためのＬＴＥ／ＬＴＥ−Ａ送信機モジュール９３４を含む、送信機モジュール９３０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１１２】
[0131]いくつかの例では、ワイヤレス通信管理モジュール９２０は、ワイヤレスデバイス９１５のためのワイヤレス通信の１つまたは複数の態様を管理するために使用され得る。いくつかの例では、ワイヤレス通信管理モジュール９２０は、チャネル使用インジケータ受信管理モジュール９４５、信号処理モジュール９５０、チャネル測定モジュール９７０、トラフィック検出モジュール９７５、および／または電力管理モジュール９８０を含み得る。
【０１１３】
[0132]いくつかの例では、チャネル使用インジケータ受信管理モジュール９４５は、無線周波数スペクトル帯域を介してチャネル使用インジケータを受信するために使用され得る。いくつかの例では、チャネル使用インジケータはＣＵＢＳを含み得る。
【０１１４】
[0133]いくつかの例では、信号処理モジュール９５０は、いくつかの信号を受信するために使用され得、基準信号（ＲＳ）処理モジュール９３５および／または同期信号処理モジュール９４０を含み得る。いくつかの例では、ＲＳ処理モジュール９３５は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを受信するために使用され得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。
【０１１５】
[0134]いくつかの例では、ＲＳ処理モジュール９３５はまた、無線周波数スペクトル帯域を介して、セル固有基準信号（ＣＲＳ）またはチャネル状態情報基準信号（ＣＳＩ−ＲＳ）であり得る複数のＲＳを含む第４のＯＦＤＭシンボルを受信するために使用され得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る（たとえば、第４のＯＦＤＭシンボルは、時間的に第３のＯＦＤＭシンボルの直後に続き得る）。いくつかの例では、第４のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、第１のＯＦＤＭシンボルの第１の部分に含まれるリソースブロックおよび／またはサブキャリアは、第４のＯＦＤＭシンボルの第１の部分に含まれる同じリソースブロックおよび／またはサブキャリアであり得る。いくつかの例では、複数のＲＳは複数のｅＣＲＳを含み得る。
【０１１６】
[0135]いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。
【０１１７】
[0136]いくつかの例では、ワイヤレスデバイス９１５は、受信された複数のＲＳに少なくとも部分的に基づいて、基地局パラメータを決定することを含み得る。基地局パラメータは、たとえば、基地局のＰＣＩ、基地局の現在のサブフレーム番号、またはそれらの組合せを含み得る。
【０１１８】
[0137]いくつかの例では、同期信号処理モジュール９４０は、ＳＳＳ処理モジュール９５５、ＰＳＳ処理モジュール９６０、および／または相互相関およびタイミング回復モジュール９６５を含み得る。いくつかの例では、同期信号処理モジュール９４０および／またはＳＳＳ処理モジュール９５５は、無線周波数スペクトル帯域を介して、第１の同期信号を含む第２のＯＦＤＭシンボルを受信するために使用され得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。いくつかの例では、第１の同期信号はＳＳＳを含み得る。いくつかの例では、ＳＳＳはｅＳＳＳを含み得る。
【０１１９】
[0138]いくつかの例では、同期信号処理モジュール９４０および／またはＳＳＳ処理モジュール９５５は、無線周波数帯域を介して、第２の同期信号を含む第３のＯＦＤＭシンボルを受信するために使用され得る。いくつかの例では、第３のＯＦＤＭシンボルは、第２のＯＦＤＭシンボルと時間的に隣接し得る（たとえば、第３のＯＦＤＭシンボルは、時間的に第２のＯＦＤＭシンボルの直後に続き得る）。いくつかの例では、第２の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号は、複数のサブキャリア（たとえば、無線周波数スペクトル帯域のコンポーネントキャリアのサブキャリアの中央セット）に関連付けられ得る。いくつかの例では、第２の同期信号はＰＳＳを含み得る。いくつかの例では、ＰＳＳはｅＰＳＳを含み得る。
【０１２０】
[0139]いくつかの例では、第１の同期信号および第２の同期信号は、同じアンテナポートを介して受信され得る。いくつかの例では、第１の同期信号および／または第２の同期信号は、複数のＲＳと同じアンテナポートを介して受信され得る。いくつかの例では、第２のＯＦＤＭシンボルおよび第３のＯＦＤＭシンボルの各々は、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【０１２１】
[0140]いくつかの例では、相互相関およびタイミング回復モジュール９６５は、受信された第１の同期信号および／または受信された第２の同期信号に少なくとも部分的に基づいて、ワイヤレスデバイス９１５を基地局と同期させるために使用され得る。いくつかの例では、同期は、第１の同期信号および第２の同期信号のサンプルの相互相関を実行することと、サンプルの相互相関に少なくとも部分的に基づいて、基地局のタイミングを回復することとを含み得る。
【０１２２】
[0141]いくつかの例では、第１のＯＦＤＭシンボル、第２のＯＦＤＭシンボル、第３のＯＦＤＭシンボル、および第４のＯＦＤＭシンボルは、１４個のＯＦＤＭシンボルを有するサブフレームの第１のＯＦＤＭシンボル、第２のＯＦＤＭシンボル、第３のＯＦＤＭシンボル、および第４のＯＦＤＭシンボルとしてそれぞれ受信され得る。いくつかの例では、サブフレームの第８のＯＦＤＭシンボルおよび第１１のＯＦＤＭシンボルは、第１のＯＦＤＭシンボルおよび第４のＯＦＤＭシンボルと同様に構成され得る。いくつかの例では、ＰＤＣＣＨ、ＰＤＳＣＨ、および／またはＰＭＣＨは、サブフレームの第５のＯＦＤＭシンボル、第６のＯＦＤＭシンボル、第７のＯＦＤＭシンボル、第９のＯＦＤＭシンボル、第１０のＯＦＤＭシンボル、第１２のＯＦＤＭシンボル、第１３のＯＦＤＭシンボル、および／または第１４のＯＦＤＭシンボルの間に信号処理モジュール９５０によって受信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、ＲＳ処理モジュール９３５、ＳＳＳ処理モジュール９５５、および／またはＰＳＳ処理モジュール９６０によって受信されるＯＦＤＭシンボルは、１０個のサブフレームを有する無線フレームの第１のサブフレームおよび／または第６のサブフレームの間に受信され得る。
【０１２３】
[0142]いくつかの例では、また第１のＯＦＤＭシンボルの第１の部分が無線周波数スペクトル帯域のコンポーネントキャリアのリソースブロックの中央セットを含むとき、チャネル測定モジュール９７０は、リソースブロックの中央セットに対して狭帯域チャネル測定を実行するために使用されてよく、測定が、複数のＲＳからのＲＳのすべて、または複数のＲＳからのＲＳのサブセットに基づき得る。
【０１２４】
[0143]いくつかの例では、トラフィック検出モジュール９７５は、シンボルエネルギーを測定するために使用され得る。トラフィック検出モジュール９７５はまた、第１のＯＦＤＭシンボルに対して、ＯＦＤＭシンボルが基地局からの送信を備えるかどうかを決定するために、ブラインド検出を実行するために使用され得る。トラフィック検出モジュール９７５はまた、サブフレームにおけるダウンリンクトラフィックの残存量（たとえば、第１のＯＦＤＭシンボル、第２のＯＦＤＭシンボル、第３のＯＦＤＭシンボル、および／または第４のＯＦＤＭシンボルが受信されるサブフレームにおけるダウンリンクトラフィックの残存量）のブラインド検出を実行するために使用され得る。いくつかの例では、ダウンリンクトラフィックの残存量は、第４のＯＦＤＭシンボルに続くダウンリンクトラフィックの残存量であり得る（または第３のＯＦＤＭシンボルおよび／または第４のＯＦＤＭシンボルが送信または受信されない例では、ダウンリンクトラフィックの残存量は、第２のＯＦＤＭシンボルまたは第３のＯＦＤＭシンボルに続くダウンリンクトラフィックの残存量であり得る）。いくつかの例では、ブラインド検出は、測定されたシンボルエネルギーに少なくとも部分的に基づき得る。いくつかの例では、ブラインド検出は、第２のＯＦＤＭシンボルにおいて受信された第１の複数のＣＳＩ−ＲＳ（たとえば、第１の同期信号と同じＯＦＤＭシンボルにおいて受信されたＣＳＩ−ＲＳ）および／または第３のＯＦＤＭシンボルにおいて受信された第２の複数のＣＳＩ−ＲＳ（たとえば、第２の同期信号と同じＯＦＤＭシンボルにおいて受信されたＣＳＩ−ＲＳ）に少なくとも部分的に基づき得る。
【０１２５】
[0144]いくつかの例では、電力管理モジュール９８０は、トラフィック検出モジュール９７５によって実行されたブラインド検出に少なくとも部分的に基づいて、受信機モジュール９１０の一部またはすべての電源を選択的に切断するために使用され得る。いくつかの例では、サブフレームにおけるダウンリンクトラフィックの検出された残存量がしきい値を満たさないときに、受信機の電源は切断され得る。
【０１２６】
[0145]ワイヤレスデバイス９１５のいくつかの例では、受信されるＯＦＤＭシンボルは、免許不要無線周波数スペクトル帯域を介して受信され得る。ワイヤレスデバイス９１５のいくつかの例では、受信されるＯＦＤＭシンボルは、免許無線周波数スペクトル帯域を介して受信され得る。
【０１２７】
[0146]図１０は、本開示の様々な態様による、ワイヤレス通信において使用するためのワイヤレスデバイス１００５のブロック図１０００を示す。ワイヤレスデバイス１１０５は、図１および／または図２を参照して説明された基地局１０５、２０５、および／または２０６のうちの１つまたは複数の態様の例であり得る。ワイヤレスデバイス１００５はまた、プロセッサであるか、またはプロセッサを含み得る。ワイヤレスデバイス１００５は、受信機モジュール１０１０、ワイヤレス通信管理モジュール１０２０、および／または送信機モジュール１０３０を含み得る。これらのモジュールの各々は、互いに通信していることがある。
【０１２８】
[0147]ワイヤレスデバイス１００５のモジュールは、ハードウェアにおいて適用可能な機能の一部またはすべてを実行するように適応された１つまたは複数の特定用途向け集積回路（ＡＳＩＣ）を使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、フィールドプログラマブルゲートアレイ（ＦＰＧＡ）、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に組み込まれた命令を用いて実装され得る。
【０１２９】
[0148]いくつかの例では、受信機モジュール１０１０は、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール１０１０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１３０】
[0149]いくつかの例では、送信機モジュール１０３０は、免許無線周波数スペクトル帯域および／または免許不要無線周波数スペクトル帯域を介して送信するように動作可能な少なくとも１つのＲＦ送信機のような、少なくとも１つのＲＦ送信機を含み得る。送信機モジュール１０３０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１３１】
[0150]いくつかの例では、ワイヤレス通信管理モジュール１０２０は、ワイヤレスデバイス１００５のためのワイヤレス通信の１つまたは複数の態様を管理するために使用され得る。いくつかの例では、ワイヤレス通信管理モジュール１０２０は、基準信号（ＲＳ）フォーマッティングモジュール１０３５と、随意に同期信号フォーマッティングモジュール１０４０とを含み得る。ＲＳ処理モジュール８３５と同期信号処理モジュール８４０の両方が設けられているとき、これらのモジュールの各々は、互いに通信していることがある。
【０１３２】
[0151]いくつかの例では、ＲＳフォーマッティングモジュール１０３５は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを送信するために使用され得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。
【０１３３】
[0152]いくつかの例では、同期信号フォーマッティングモジュール１０４０は、無線周波数スペクトル帯域を介して、第１の同期信号を含む第２のＯＦＤＭシンボルを送信するために使用され得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。
【０１３４】
[0153]ワイヤレスデバイス１００５のいくつかの例では、送信されるＯＦＤＭシンボルは、免許不要無線周波数スペクトル帯域を介して送信され得る。ワイヤレスデバイス１００５のいくつかの例では、送信されるＯＦＤＭシンボルは、免許無線周波数スペクトル帯域を介して送信され得る。
【０１３５】
[0154]図１１は、本開示の様々な態様による、ワイヤレス通信において使用するためのワイヤレスデバイス１１０５のブロック図１１００を示す。ワイヤレスデバイス１１０５は、図１および／または図２を参照して説明された基地局１０５、２０５、および／または２０６のうちの１つもしくは複数の態様、および／または図１０を参照して説明されたワイヤレスデバイス１００５の態様の例であり得る。ワイヤレスデバイス１１０５はまた、プロセッサであるか、またはプロセッサを含み得る。ワイヤレスデバイス１１０５は、受信機モジュール１１１０、ワイヤレス通信管理モジュール１１２０、および／または送信機モジュール１１３０を含み得る。これらのモジュールの各々は、互いに通信していることがある。
【０１３６】
[0155]ワイヤレスデバイス１１０５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に組み込まれた命令を用いて実装され得る。
【０１３７】
[0156]いくつかの例では、受信機モジュール１１１０は、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール１１１０は、場合によっては、免許無線周波数スペクトル帯域および免許不要無線周波数スペクトル帯域のための別個の受信機を含み得る。別個の受信機は、いくつかの例では、免許無線周波数スペクトル帯域を介して通信するためのＬＴＥ／ＬＴＥ−Ａ受信機モジュール（たとえば、免許ＲＦスペクトル帯域のためのＬＴＥ／ＬＴＥ−Ａ受信機モジュール１１１２）、および免許不要無線周波数スペクトル帯域を介して通信するためのＬＴＥ／ＬＴＥ−Ａ受信機モジュール（たとえば、免許不要ＲＦスペクトル帯域のためのＬＴＥ／ＬＴＥ−Ａ受信機モジュール１１１４）の形態をとり得る。免許ＲＦスペクトル帯域のためのＬＴＥ／ＬＴＥ−Ａ受信機モジュール１１１２および／または免許不要ＲＦスペクトル帯域のためのＬＴＥ／ＬＴＥ−Ａ受信機モジュール１１１４を含む、受信機モジュール１１１０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１３８】
[0157]いくつかの例では、送信機モジュール１１３０は、免許無線周波数スペクトル帯域および／または免許不要無線周波数スペクトル帯域を介して送信するように動作可能な少なくとも１つのＲＦ送信機のような、少なくとも１つのＲＦ送信機を含み得る。送信機モジュール１１３０は、場合によっては、免許無線周波数スペクトル帯域および免許不要無線周波数スペクトル帯域のための別個の送信機を含み得る。別個の送信機は、いくつかの例では、免許無線周波数スペクトル帯域を介して通信するためのＬＴＥ／ＬＴＥ−Ａ送信機モジュール（たとえば、免許ＲＦスペクトル帯域のためのＬＴＥ／ＬＴＥ−Ａ送信機モジュール１１３２）、および免許不要無線周波数スペクトル帯域を介して通信するためのＬＴＥ／ＬＴＥ−Ａ送信機モジュール（たとえば、免許不要ＲＦスペクトル帯域のためのＬＴＥ／ＬＴＥ−Ａ送信機モジュール１１３４）の形態をとり得る。免許ＲＦスペクトル帯域のためのＬＴＥ／ＬＴＥ−Ａ送信機モジュール１１３２および／または免許不要ＲＦスペクトル帯域のためのＬＴＥ／ＬＴＥ−Ａ送信機モジュール１１３４を含む、送信機モジュール１１３０は、図１および／または図２を参照して説明されたワイヤレス通信システム１００および／または２００の１つまたは複数の通信リンクのようなワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１３９】
[0158]いくつかの例では、ワイヤレス通信管理モジュール１１２０は、ワイヤレスデバイス１１０５のためのワイヤレス通信の１つまたは複数の態様を管理するために使用され得る。いくつかの例では、ワイヤレス通信管理モジュール１１２０は、ＣＣＡモジュール１１４５、チャネル使用インジケータ送信管理モジュール１１５０、および／または信号フォーマッティングモジュール１１５５を含み得る。
【０１４０】
[0159]いくつかの例では、ＣＣＡモジュール１１４５は、無線周波数スペクトル帯域上でＣＣＡを実行するために使用され得る。
【０１４１】
[0160]いくつかの例では、チャネル使用インジケータ送信管理モジュール１１５０は、ＣＣＡモジュール１１４５によって実行されたＣＣＡが成功したときに、無線周波数スペクトル帯域を介してチャネル使用インジケータを送信するために使用され得る。いくつかの例では、チャネル使用インジケータはＣＵＢＳを含み得る。
【０１４２】
[0161]いくつかの例では、信号フォーマッティングモジュール１１５５は、いくつかの信号をフォーマットするために使用され得、基準信号（ＲＳ）フォーマッティングモジュール１１３５および／または同期信号フォーマッティングモジュール１１４０を含み得る。いくつかの例では、ＲＳフォーマッティングモジュール１１３５は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを送信するために使用され得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。いくつかの例では、複数のＲＳは複数のｅＣＲＳを含み得る。
【０１４３】
[0162]いくつかの例では、ＲＳフォーマッティングモジュール１１３５はまた、無線周波数スペクトル帯域を介して、セル固有基準信号（ＣＲＳ）またはチャネル状態情報基準信号（ＣＳＩ−ＲＳ）であり得る複数のＲＳを含む第４のＯＦＤＭシンボルを送信するために使用され得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る（たとえば、第４のＯＦＤＭシンボルは、時間的に第３のＯＦＤＭシンボルの直後に続き得る）。いくつかの例では、第４のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。いくつかの例では、第１のＯＦＤＭシンボルの第１の部分に含まれるリソースブロックおよび／またはサブキャリアは、第４のＯＦＤＭシンボルの第１の部分に含まれる同じリソースブロックおよび／またはサブキャリアであり得る。いくつかの例では、複数のＲＳは複数のｅＣＲＳを含み得る。
【０１４４】
[0163]いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。
【０１４５】
[0164]いくつかの例では、同期信号フォーマッティングモジュール１１４０は、ＳＳＳフォーマッティングモジュール１１６０および／またはＰＳＳフォーマッティングモジュール１１６５を含み得る。いくつかの例では、同期信号フォーマッティングモジュール１１４０および／またはＳＳＳフォーマッティングモジュール１１６０は、無線周波数スペクトル帯域を介して、第１の同期信号を含む第２のＯＦＤＭシンボルを送信するために使用され得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。いくつかの例では、第１の同期信号はＳＳＳを含み得る。いくつかの例では、ＳＳＳはｅＳＳＳを含み得る。
【０１４６】
[0165]いくつかの例では、同期信号フォーマッティングモジュール１１４０および／またはＰＳＳフォーマッティングモジュール１１６５は、無線周波数帯域を介して、第２の同期信号を含む第３のＯＦＤＭシンボルを送信するために使用され得る。いくつかの例では、第３のＯＦＤＭシンボルは、第２のＯＦＤＭシンボルと時間的に隣接し得る（たとえば、第３のＯＦＤＭシンボルは、時間的に第２のＯＦＤＭシンボルの直後に続き得る）。いくつかの例では、第２の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号は、複数のサブキャリア（たとえば、無線周波数スペクトル帯域のコンポーネントキャリアのサブキャリアの中央セット）に関連付けられ得る。いくつかの例では、第２の同期信号はＰＳＳを含み得る。いくつかの例では、ＰＳＳはｅＰＳＳを含み得る。
【０１４７】
[0166]いくつかの例では、第１の同期信号および第２の同期信号は、同じアンテナポートを介して送信され得る。いくつかの例では、第１の同期信号および／または第２の同期信号は、複数のＲＳと同じアンテナポートを介して送信され得る。いくつかの例では、第２のＯＦＤＭシンボルおよび第３のＯＦＤＭシンボルの各々は、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【０１４８】
[0167]いくつかの例では、第１のＯＦＤＭシンボル、第２のＯＦＤＭシンボル、第３のＯＦＤＭシンボル、および第４のＯＦＤＭシンボルは、１４個のＯＦＤＭシンボルを有するサブフレームの第１のＯＦＤＭシンボル、第２のＯＦＤＭシンボル、第３のＯＦＤＭシンボル、および第４のＯＦＤＭシンボルとしてそれぞれ送信され得る。いくつかの例では、サブフレームの第８のＯＦＤＭシンボルおよび第１１のＯＦＤＭシンボルは、第１のＯＦＤＭシンボルおよび第４のＯＦＤＭシンボルと同様に構成され得る。いくつかの例では、ＰＤＣＣＨ、ＰＤＳＣＨ、および／またはＰＭＣＨは、サブフレームの第５のＯＦＤＭシンボル、第６のＯＦＤＭシンボル、第７のＯＦＤＭシンボル、第９のＯＦＤＭシンボル、第１０のＯＦＤＭシンボル、第１２のＯＦＤＭシンボル、第１３のＯＦＤＭシンボル、および／または第１４のＯＦＤＭシンボルの間に送信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、ＲＳフォーマッティングモジュール１１３５、ＳＳＳフォーマッティングモジュール１１６０、および／またはＰＳＳフォーマッティングモジュール１１６５によって送信されるＯＦＤＭシンボルは、１０個のサブフレームを有する無線フレームの第１のサブフレームおよび／または第６のサブフレームの間に送信され得る。
【０１４９】
[0168]ワイヤレスデバイス１１０５のいくつかの例では、受信されるＯＦＤＭシンボルは、免許不要無線周波数スペクトル帯域を介して受信され得る。ワイヤレスデバイス１１０５のいくつかの例では、受信されるＯＦＤＭシンボルは、免許無線周波数スペクトル帯域を介して受信され得る。
【０１５０】
[0169]図１２は、本開示の様々な態様による、ワイヤレス通信において使用するためのＵＥ１２１５のブロック図１２００を示す。ＵＥ１２１５は様々な構成を有してよく、含まれてよく、またはパーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ１２１５は、いくつかの例では、モバイル動作を容易にするために、小型バッテリーのような内部電源（図示されず）を有し得る。いくつかの例では、ＵＥ１２１５は、図１および／または図２を参照して説明されたＵＥ１１５、２１５、２１６、２１７、および／または２１８のうちの１つもしくは複数の態様、および／または図８および／または図９を参照して説明されたワイヤレスデバイス８１５および／または９１５のうちの１つもしくは複数の態様の例であり得る。ＵＥ１２１５は、図１、図２、図３、図４、図５、図６、図７、図８、および／または図９を参照して説明されたＵＥおよび／またはワイヤレスデバイスの特徴および機能の少なくとも一部を実装するように構成され得る。
【０１５１】
[0170]ＵＥ１２１５は、ＵＥプロセッサモジュール１２１０、ＵＥメモリモジュール１２２０、（ＵＥトランシーバモジュール１２３０によって表される）少なくとも１つのＵＥトランシーバモジュール、（ＵＥアンテナ１２４０によって表される）少なくとも１つのＵＥアンテナ、および／またはＵＥワイヤレス通信管理モジュール１２６０を含み得る。これらの構成要素の各々は、１つまたは複数のバス１２３５を介して、直接または間接的に互いに通信していることがある。
【０１５２】
[0171]ＵＥメモリモジュール１２２０は、ランダムアクセスメモリ（ＲＡＭ）および／または読取り専用メモリ（ＲＯＭ）を含み得る。ＵＥメモリモジュール１２２０は、実行されると、ワイヤレス通信に関する本明細書で説明される様々な機能をＵＥプロセッサモジュール１２１０に実行させるように構成される命令を含む、コンピュータ可読のコンピュータ実行可能コード１２２５を記憶し得る。代替的に、コード１２２５は、ＵＥプロセッサモジュール１２１０によって直接的に実行可能ではないことがあるが、（たとえば、コンパイルされ実行されると）本明細書で説明される様々な機能をＵＥ１２１５に実行させるように構成され得る。
【０１５３】
[0172]ＵＥプロセッサモジュール１２１０は、インテリジェントハードウェアデバイス、たとえば、中央処理装置（ＣＰＵ）、マイクロコントローラ、ＡＳＩＣなどを含み得る。ＵＥプロセッサモジュール１２１０は、ＵＥトランシーバモジュール１２３０を介して受信された情報、および／またはＵＥアンテナ１２４０を介した送信のためにＵＥトランシーバモジュール１２３０へ送られるべき情報を処理し得る。ＵＥプロセッサモジュール１２１０は、単独でまたはＵＥワイヤレス通信管理モジュール１２６０とともに、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して通信すること（あるいはその帯域を介した通信を管理すること）の様々な態様を扱い得る。
【０１５４】
[0173]ＵＥトランシーバモジュール１２３０は、パケットを変調し、被変調パケットを送信のためにＵＥアンテナ１２４０に提供し、ＵＥアンテナ１２４０から受信されたパケットを復調するように構成されたモデムを含み得る。ＵＥトランシーバモジュール１２３０は、いくつかの例では、１つまたは複数のＵＥ送信機モジュールおよび１つまたは複数の別個のＵＥ受信機モジュールとして実装され得る。ＵＥトランシーバモジュール１２３０は、免許無線周波数スペクトル帯域および／または免許不要無線周波数スペクトル帯域における通信をサポートし得る。ＵＥトランシーバモジュール１２３０は、図１および／または図２を参照して説明された基地局１０５、２０５、および／または２０６のうちの１つまたは複数と、ＵＥアンテナ１２４０を介して双方向に通信するように構成され得る。ＵＥ１２１５は単一のＵＥアンテナを含み得るが、ＵＥ１２１５が複数のＵＥアンテナ１２４０を含み得る例があり得る。
【０１５５】
[0174]ＵＥ状態モジュール１２５０は、たとえば、無線リソース制御（ＲＲＣ）アイドル状態とＲＲＣ接続状態との間のＵＥ１２１５の遷移を管理するために使用されてよく、１つまたは複数のバス１２３５を介して、直接または間接的に、ＵＥ１２１５の他の構成要素と通信していることがある。ＵＥ状態モジュール１２５０またはそれの部分は、プロセッサを含んでよく、ならびに／またはＵＥ状態モジュール１２５０の機能の一部もしくはすべては、ＵＥプロセッサモジュール１２１０によって、および／もしくはＵＥプロセッサモジュール１２１０とともに実行され得る。
【０１５６】
[0175]ＵＥワイヤレス通信管理モジュール１２６０は、免許無線周波数スペクトル帯域および／または免許不要無線周波数スペクトル帯域を通じたワイヤレス通信に関する、図１、図２、図３、図４、図５、図６、図７、図８、および／または図９を参照して説明されたＵＥおよび／またはワイヤレスデバイスの特徴および／または機能の一部またはすべてを実行および／または制御するように構成され得る。たとえば、ＵＥワイヤレス通信管理モジュール１２６０は、免許無線周波数スペクトル帯域および／または免許不要無線周波数スペクトル帯域を使用して、補助ダウンリンクモード、キャリアアグリゲーションモード、および／またはスタンドアロンモードをサポートするように構成され得る。ＵＥワイヤレス通信管理モジュール１２６０は、免許無線周波数スペクトル帯域におけるＬＴＥ／ＬＴＥ−Ａ通信を扱うように構成された免許ＲＦスペクトル帯域のためのＵＥ  ＬＴＥ／ＬＴＥ−Ａモジュール１２６５と、免許不要無線周波数スペクトル帯域におけるＬＴＥ／ＬＴＥ−Ａ通信を扱うように構成された免許不要ＲＦスペクトル帯域のためのＵＥ  ＬＴＥ／ＬＴＥ−Ａモジュール１２７０とを含み得る。ＵＥワイヤレス通信管理モジュール１２６０またはそれの部分は、プロセッサを含んでよく、ならびに／またはＵＥワイヤレス通信管理モジュール１２６０の機能の一部もしくはすべては、ＵＥプロセッサモジュール１２１０によって、および／もしくはＵＥプロセッサモジュール１２１０とともに実行され得る。いくつかの例では、ＵＥワイヤレス通信管理モジュール１２６０は、図８および／または図９を参照して説明されたワイヤレス通信管理モジュール８２０および／または９２０の例であり得る。
【０１５７】
[0176]図１３は、本開示の様々な態様による、ワイヤレス通信において使用するための基地局１３０５（たとえば、ｅＮＢの一部またはすべてを形成する基地局）のブロック図１３００を示す。いくつかの例では、基地局１３０５は、図１および／または図２を参照して説明された基地局１０５、２０５、および／または２０６の１つまたは複数の態様の例であり得る。基地局１３０５は、図１、図２、図３、図４、図５、図６、図７、図１０、および／または図１１を参照して説明された基地局の特徴および機能の少なくとも一部を実装または支援するように構成され得る。
【０１５８】
[0177]基地局１３０５は、基地局プロセッサモジュール１３１０、基地局メモリモジュール１３２０、（基地局トランシーバモジュール１３５０によって表される）少なくとも１つの基地局トランシーバモジュール、（基地局アンテナ１３５５によって表される）少なくとも１つの基地局アンテナ、および／または基地局ワイヤレス通信管理モジュール１３６０を含み得る。基地局１３０５はまた、基地局通信モジュール１３３０および／またはネットワーク通信モジュール１３４０のうちの１つまたは複数を含み得る。これらの構成要素の各々は、１つまたは複数のバス１３３５を介して、直接または間接的に互いに通信していることがある。
【０１５９】
[0178]基地局メモリモジュール１３２０はＲＡＭおよび／またはＲＯＭを含み得る。基地局メモリモジュール１３２０は、実行されると、ワイヤレス通信に関する本明細書で説明される様々な機能を基地局プロセッサモジュール１３１０に実行させるように構成される命令を含む、コンピュータ可読のコンピュータ実行可能コード１３２５を記憶し得る。代替的に、コード１３２５は、基地局プロセッサモジュール１３１０によって直接的に実行可能ではないことがあるが、（たとえば、コンパイルされ実行されると）本明細書で説明される様々な機能を基地局１３０５に実行させるように構成され得る。
【０１６０】
[0179]基地局プロセッサモジュール１３１０は、インテリジェントハードウェアデバイス、たとえば、ＣＰＵ、マイクロコントローラ、ＡＳＩＣなどを含み得る。基地局プロセッサモジュール１３１０は、基地局トランシーバモジュール１３５０、基地局通信モジュール１３３０、および／またはネットワーク通信モジュール１３４０を介して受信された情報を処理し得る。基地局プロセッサモジュール１３１０はまた、アンテナ１３５５を通じた送信のためにトランシーバモジュール１３５０へ、１つもしくは複数の他の基地局１３０６および１３０７への送信のために基地局通信モジュール１３３０へ、ならびに／または図１を参照して説明されたコアネットワーク１３０の１つまたは複数の態様の例であり得るコアネットワーク１３４５への送信のためにネットワーク通信モジュール１３４０へ送られるべき情報を処理し得る。基地局プロセッサモジュール１３１０は、単独でまたは基地局ワイヤレス通信管理モジュール１３６０とともに、免許無線周波数スペクトル帯域（たとえば、無線周波数スペクトル帯域が、ＬＴＥ／ＬＴＥ−Ａ通信のために使用可能な免許無線周波数スペクトル帯域のような、特定の用途のために特定のユーザに免許されているので、装置がアクセスを争わない無線周波数スペクトル帯域）、および／または免許不要無線周波数スペクトル帯域（たとえば、無線周波数スペクトル帯域が、Ｗｉ−Ｆｉ用途のような免許不要の用途に利用可能であるので、装置がアクセスを争う必要があり得る無線周波数スペクトル帯域）を介して通信すること（あるいはその帯域を通じた通信を管理すること）の様々な態様を扱い得る。
【０１６１】
[0180]基地局トランシーバモジュール１３５０は、パケットを変調し、被変調パケットを送信のために基地局アンテナ１３５５に提供し、基地局アンテナ１３５５から受信されたパケットを復調するように構成されたモデムを含み得る。基地局トランシーバモジュール１３５０は、いくつかの例では、１つまたは複数の基地局送信機モジュールおよび１つまたは複数の別個の基地局受信機モジュールとして実装され得る。基地局トランシーバモジュール１３５０は、免許無線周波数スペクトル帯域および／または免許不要無線周波数スペクトル帯域における通信をサポートし得る。基地局トランシーバモジュール１３５０は、図１、図２、および／または図１２を参照して説明されたＵＥ１１５、２１５、２１６、２１７、２１８、および／または１２１５のうちの１つもしくは複数、および／または図８および／または図９を参照して説明されたワイヤレスデバイス８１５および／または９１５のうちの１つもしくは複数のような、１つまたは複数のＵＥおよび／またはワイヤレスデバイスと、アンテナ１３５５を介して双方向に通信するように構成され得る。基地局１３０５は、たとえば、複数の基地局アンテナ１３５５（たとえば、アンテナアレイ）を含み得る。基地局１３０５は、ネットワーク通信モジュール１３４０を介してコアネットワーク１３４５と通信し得る。基地局１３０５はまた、基地局通信モジュール１３３０を使用して、基地局１３０６および１３０７のような他の基地局と通信し得る。
【０１６２】
[0181]基地局ワイヤレス通信管理モジュール１３６０は、免許無線周波数スペクトル帯域および／または免許不要無線周波数スペクトル帯域を通じたワイヤレス通信に関する、図１、図２、図３、図４、図５、図６、図７、図１０、および／または図１１を参照して説明された特徴および／または機能の一部またはすべてを実行および／または制御するように構成され得る。たとえば、基地局ワイヤレス通信管理モジュール１３６０は、免許無線周波数スペクトル帯域および／または免許不要無線周波数スペクトル帯域を使用して、補助ダウンリンクモード、キャリアアグリゲーションモード、および／またはスタンドアロンモードをサポートするように構成され得る。基地局ワイヤレス通信管理モジュール１３６０は、免許無線周波数スペクトル帯域におけるＬＴＥ／ＬＴＥ−Ａ通信を扱うように構成された免許ＲＦスペクトル帯域のための基地局ＬＴＥ／ＬＴＥ−Ａモジュール１３６５と、免許不要無線周波数スペクトル帯域におけるＬＴＥ／ＬＴＥ−Ａ通信を扱うように構成された免許不要ＲＦスペクトル帯域のための基地局ＬＴＥ／ＬＴＥ−Ａモジュール１３７０とを含み得る。基地局ワイヤレス通信管理モジュール１３６０またはそれの部分は、プロセッサを含んでよく、ならびに／または基地局ワイヤレス通信管理モジュール１３６０の機能の一部もしくはすべては、基地局プロセッサモジュール１３１０によって、および／もしくは基地局プロセッサモジュール１３１０とともに実行され得る。いくつかの例では、基地局ワイヤレス通信管理モジュール１３６０は、図１０および／または図１１を参照して説明されたワイヤレス通信管理モジュール１０２０および／または１１２０の例であり得る。
【０１６３】
[0182]図１４は、本開示の様々な態様による、基地局１４０５とＵＥ１４１５とを含む多入力多出力（ＭＩＭＯ）通信システム１４００のブロック図である。ＭＩＭＯ通信システム１４００は、図１および／または図２を参照して説明されたワイヤレス通信システム１００および／または２００の態様を示し得る。基地局１４０５はアンテナ１４３４〜１４３５を装備し得、ＵＥ１４１５はアンテナ１４５２〜１４５３を装備し得る。ＭＩＭＯ通信システム１４００では、基地局１４０５は、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１４０５が２つの「レイヤ」を送信する２×２ＭＩＭＯ通信システムでは、基地局１４０５とＵＥ１４１５との間の通信リンクのランクは２である。
【０１６４】
[0183]基地局１４０５において、送信（Ｔｘ）プロセッサ１４２０は、データソースからデータを受信し得る。送信プロセッサ１４２０は、データを処理し得る。送信プロセッサ１４２０はまた、制御シンボルおよび／または基準シンボルを生成し得る。送信（Ｔｘ）ＭＩＭＯプロセッサ１４３０は、適用可能な場合はデータシンボル、制御シンボル、および／または基準シンボルに対して空間処理（たとえば、プリコーディング）を実行し得、出力シンボルストリームを変調器／復調器（Ｍｏｄ．／Ｄｅｍｏｄ．）モジュール１４３２〜１４３３に与え得る。各変調器／復調器モジュール１４３２〜１４３３は、出力サンプルストリームを取得するために、（たとえば、ＯＦＤＭなどのために）それぞれの出力シンボルストリームを処理し得る。各変調器／復調器モジュール１４３２〜１４３３はさらに、ＤＬ信号を取得するために、出力サンプルストリームを処理（たとえば、アナログへの変換、増幅、フィルタ処理、およびアップコンバート）し得る。一例では、変調器／復調器モジュール１４３２〜１４３３からのＤＬ信号は、それぞれアンテナ１４３４〜１４３５を介して送信され得る。
【０１６５】
[0184]ＵＥ１４１５において、ＵＥアンテナ１４５２〜１４５３は、基地局１４０５からＤＬ信号を受信し得、受信信号をそれぞれ変調器／復調器（Ｍｏｄ．／Ｄｅｍｏｄ．）モジュール１４５４〜１４５５に与え得る。各変調器／復調器モジュール１４５４〜１４５５は、入力サンプルを取得するために、それぞれの受信信号を調整（たとえば、フィルタ処理、増幅、ダウンコンバート、およびデジタル化）し得る。各変調器／復調器モジュール１４５４〜１４５５はさらに、受信シンボルを取得するために、（たとえば、ＯＦＤＭなどのために）入力サンプルを処理し得る。ＭＩＭＯ検出器１４５６は、すべての変調器／復調器モジュール１４５４〜１４５５から受信シンボルを取得し、適用可能な場合は受信シンボルに対してＭＩＭＯ検出を実行し、検出されたシンボルを与え得る。受信（Ｒｘ）プロセッサ１４５８は、検出されたシンボルを処理（たとえば、復調、デインターリーブ、および復号）し、ＵＥ１４１５のための復号されたデータをデータ出力に与え、復号された制御情報をプロセッサ１４８０、またはメモリ１４８２に与え得る。
【０１６６】
[0185]プロセッサ１４８０は、場合によっては、ワイヤレス通信管理モジュール１４８６をインスタンス化するための記憶された命令を実行し得る。ワイヤレス通信管理モジュール１４８６は、図８および／または図９を参照して説明されたワイヤレス通信管理モジュール８２０および／または９２０の態様の例であり得る。
【０１６７】
[0186]アップリンク（ＵＬ）上で、ＵＥ１４１５において、送信プロセッサ１４６４は、データソースからデータを受信し、処理し得る。送信プロセッサ１４６４はまた、基準信号のための基準シンボルを生成し得る。送信プロセッサ１４６４からのシンボルは、適用可能な場合は送信ＭＩＭＯプロセッサ１４６６によってプリコードされ、さらに（たとえば、ＳＣ−ＦＤＭＡなどのために）変調器／復調器モジュール１４５４〜１４５５によって処理され、基地局１４０５から受信された送信パラメータに従って基地局１４０５に送信され得る。基地局１４０５において、ＵＥ１４１５からのＵＬ信号がアンテナ１４３４〜１４３５によって受信され、変調器／復調器モジュール１４３２〜１４３３によって処理され、適用可能な場合はＭＩＭＯ検出器１４３６によって検出され、受信プロセッサ１４３８によってさらに処理され得る。受信プロセッサ１４３８は、復号されたデータをデータ出力とプロセッサ１４４０および／またはメモリ１４４２とに与え得る。プロセッサ１４４０は、場合によっては、ワイヤレス通信管理モジュール１４８４をインスタンス化するための記憶された命令を実行し得る。ワイヤレス通信管理モジュール１４８４は、図１０および／または図１１を参照して説明されたワイヤレス通信管理モジュール１０２０および／または１１２０の態様の例であり得る。
【０１６８】
[0187]ＵＥ１４１５の構成要素は、ハードウェアにおいて適用可能な機能の一部またはすべてを実行するように適応された１つまたは複数のＡＳＩＣを用いて、個別にまたは集合的に実装され得る。言及されたモジュールの各々は、ＭＩＭＯ通信システム１４００の動作に関係する１つまたは複数の機能を実行するための手段であり得る。同様に、基地局１４０５の構成要素は、ハードウェアにおいて適用可能な機能の一部またはすべてを実行するように適応された１つまたは複数のＡＳＩＣを用いて、個別にまたは集合的に実装され得る。言及された構成要素の各々は、ＭＩＭＯ通信システム１４００の動作に関係する１つまたは複数の機能を実行するための手段であり得る。
【０１６９】
[0188]図１５Ａは、本開示の様々な態様による、ワイヤレス通信のための方法１５５０の例を示すフローチャートである。明快のために、方法１５５０は、図１、図２、図１２、および／または図１４を参照して説明されたＵＥ１１５、２１５、２１６、２１７、２１８、１２１５、および／または１４１５のうちの１つもしくは複数の態様、および／または図８および／または図９を参照して説明されたワイヤレスデバイス８１５および／または９１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０１７０】
[0189]ブロック１５０５において、方法１５００は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを受信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。ブロック１５５５における動作は、図８、図９、図１２、および／または図１４を参照して説明されたワイヤレス通信管理モジュール８２０、９２０、１２６０、および／もしくは１４８６、図８および／または図９を参照して説明されたＲＳ処理モジュール８３５および／もしくは９３５、ならびに／または図９を参照して説明された信号処理モジュール９５０を使用して実行され得る。
【０１７１】
[0190]したがって、方法１５００はワイヤレス通信を提供することができる。方法１５００は一実装形態にすぎず、方法１５００の動作は、他の実装形態が可能であるように再構成されるか、または場合によっては修正され得ることに留意されたい。
【０１７２】
[0191]図１５Ｂは、本開示の様々な態様による、ワイヤレス通信のための方法１５５０の例を示すフローチャートである。明快のために、方法１５５０は、図１、図２、図１２、および／または図１４を参照して説明されたＵＥ１１５、２１５、２１６、２１７、２１８、１２１５、および／または１４１５のうちの１つもしくは複数の態様、および／または図８および／または図９を参照して説明されたワイヤレスデバイス８１５および／または９１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０１７３】
[0192]ブロック１５５５において、方法１５５０は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを受信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。ブロック１５５５における動作は、図８、図９、図１２、および／または図１４を参照して説明されたワイヤレス通信管理モジュール８２０、９２０、１２６０、および／もしくは１４８６、図８および／または図９を参照して説明されたＲＳ処理モジュール８３５および／もしくは９３５、ならびに／または図９を参照して説明された信号処理モジュール９５０を使用して実行され得る。
【０１７４】
[0193]ブロック１５６０において、方法１５６０は、無線周波数スペクトル帯域を介して、第１の同期信号を含む第２のＯＦＤＭシンボルを受信することを含み得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。ブロック１５６０における動作は、図８、図９、図１２、および／または図１４を参照して説明されたワイヤレス通信管理モジュール８２０、９２０、１２６０、および／もしくは１４８６、図８および／または図９を参照して説明された同期信号処理モジュール８４０および／もしくは９４０、ならびに／または図９を参照して説明された信号処理モジュール９５０を使用して実行され得る。
【０１７５】
[0194]方法１５５０のいくつかの例では、無線周波数スペクトル帯域は免許不要無線周波数スペクトル帯域を含み得る。免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。
【０１７６】
[0195]したがって、方法１５５０はワイヤレス通信を提供することができる。方法１５５０は一実装形態にすぎず、方法１５５０の動作は、他の実装形態が可能であるように再構成されるか、または場合によっては修正され得ることに留意されたい。
【０１７７】
[0196]図１６は、本開示の様々な態様による、ワイヤレス通信のための方法１６００の例を示すフローチャートである。明快のために、方法１６００は、図１、図２、図１２、および／または図１４を参照して説明されたＵＥ１１５、２１５、２１６、２１７、２１８、１２１５、および／または１４１５のうちの１つもしくは複数の態様、および／または図８および／または図９を参照して説明されたワイヤレスデバイス８１５および／または９１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０１７８】
[0197]ブロック１６０５において、方法１６００は、無線周波数スペクトル帯域を介してチャネル使用インジケータを受信することを含み得る。いくつかの例では、チャネル使用インジケータはＣＵＢＳを含み得る。ブロック１６０５における動作は、図８、図９、図１２、および／または図１４を参照して説明されたワイヤレス通信管理モジュール８２０、９２０、１２６０、および／もしくは１４８６、ならびに／または図９を参照して説明されたチャネル使用インジケータ受信管理モジュール９４５を使用して実行され得る。
【０１７９】
[0198]ブロック１６１０において、方法１６００は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを受信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、複数のＲＳは複数のｅＣＲＳを含み得る。ブロック１６１０における動作は、図８、図９、図１２、および／または図１４を参照して説明されたワイヤレス通信管理モジュール８２０、９２０、１２６０、および／もしくは１４８６、図８および／または図９を参照して説明されたＲＳ処理モジュール８３５および／もしくは９３５、ならびに／または図９を参照して説明された信号処理モジュール９５０を使用して実行され得る。
【０１８０】
[0199]ブロック１６１５において、また第１のＯＦＤＭシンボルの第１の部分が無線周波数スペクトル帯域のコンポーネントキャリアのリソースブロックの中央セットを含むとき、方法１６００は、リソースブロックの中央セットに対して狭帯域チャネル測定を実行することを含むことができ、測定が、複数のＲＳからのＲＳのすべて、または複数のＲＳからのＲＳのサブセットに基づき得る。ブロック１６１５における動作は、図８、図９、図１２、および／または図１４を参照して説明されたワイヤレス通信管理モジュール８２０、９２０、１２６０、および／もしくは１４８６、ならびに／または図９を参照して説明されたチャネル測定モジュール９７０を使用して実行され得る。
【０１８１】
[0200]ブロック１６２０において、方法１６００は、無線周波数スペクトル帯域を介して、第１の同期信号を含む第２のＯＦＤＭシンボルを受信することを含み得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。いくつかの例では、第１の同期信号はＳＳＳを含み得る。いくつかの例では、ＳＳＳはｅＳＳＳを含み得る。ブロック１６２０における動作は、図８、図９、図１２、および／または図１４を参照して説明されたワイヤレス通信管理モジュール８２０、９２０、１２６０、および／もしくは１４８６、図８および／または図９を参照して説明された同期信号処理モジュール８４０および／もしくは９４０、ならびに／または図９を参照して説明された信号処理モジュール９５０および／もしくはＳＳＳ処理モジュール９５５を使用して実行され得る。
【０１８２】
[0201]ブロック１６２５において、方法１６００は、無線周波数帯域を介して、第２の同期信号を含む第３のＯＦＤＭシンボルを受信することを含み得る。いくつかの例では、第３のＯＦＤＭシンボルは、第２のＯＦＤＭシンボルと時間的に隣接し得る（たとえば、第３のＯＦＤＭシンボルは、時間的に第２のＯＦＤＭシンボルの直後に続き得る）。いくつかの例では、第２の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号は、複数のサブキャリア（たとえば、無線周波数スペクトル帯域のコンポーネントキャリアのサブキャリアの中央セット）に関連付けられ得る。いくつかの例では、第２の同期信号はＰＳＳを含み得る。いくつかの例では、ＰＳＳはｅＰＳＳを含み得る。ブロック１６２５における動作は、図８、図９、図１２、および／または図１４を参照して説明されたワイヤレス通信管理モジュール８２０、９２０、１２６０、および／もしくは１４８６、図８および／または図９を参照して説明された同期信号処理モジュール８４０および／もしくは９４０、ならびに／または図９を参照して説明された信号処理モジュール９５０および／もしくはＰＳＳ処理モジュール９６０を使用して実行され得る。
【０１８３】
[0202]いくつかの例では、第１の同期信号および第２の同期信号は、同じアンテナポートを介して受信され得る。いくつかの例では、第１の同期信号および／または第２の同期信号は、複数のＲＳと同じアンテナポートを介して受信され得る。いくつかの例では、第２のＯＦＤＭシンボルおよび第３のＯＦＤＭシンボルの各々は、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【０１８４】
[0203]ブロック１６３０において、方法１６００は、無線周波数スペクトル帯域を介して、複数のＲＳを含む第４のＯＦＤＭシンボルを受信することを含み得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る（たとえば、第４のＯＦＤＭシンボルは、時間的に第３のＯＦＤＭシンボルの直後に続き得る）。いくつかの例では、第４のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが受信され得る。いくつかの例では、第１のＯＦＤＭシンボルの第１の部分に含まれるリソースブロックおよび／またはサブキャリアは、第４のＯＦＤＭシンボルの第１の部分に含まれる同じリソースブロックおよび／またはサブキャリアであり得る。いくつかの例では、複数のＲＳは複数のｅＣＲＳを含み得る。ブロック１６３０における動作は、図８、図９、図１２、および／または図１４を参照して説明されたワイヤレス通信管理モジュール８２０、９２０、１２６０、および／もしくは１４８６、図８および／または図９を参照して説明されたＲＳ処理モジュール８３５および／もしくは９３５、ならびに／または図９を参照して説明された信号処理モジュール９５０を使用して実行され得る。
【０１８５】
[0204]いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。
【０１８６】
[0205]いくつかの例では、第１のＯＦＤＭシンボル、第２のＯＦＤＭシンボル、第３のＯＦＤＭシンボル、および第４のＯＦＤＭシンボルは、１４個のＯＦＤＭシンボルを有するサブフレームの第１のＯＦＤＭシンボル、第２のＯＦＤＭシンボル、第３のＯＦＤＭシンボル、および第４のＯＦＤＭシンボルとして、ブロック１６１０、１６２０、１６２５、および１６３０においてそれぞれ受信され得る。いくつかの例では、サブフレームの第８のＯＦＤＭシンボルおよび第１１のＯＦＤＭシンボルは、第１のＯＦＤＭシンボルおよび第４のＯＦＤＭシンボルと同様に構成され得る。方法のいくつかの例では、ＰＤＣＣＨ、ＰＤＳＣＨ、および／またはＰＭＣＨは、サブフレームの第５のＯＦＤＭシンボル、第６のＯＦＤＭシンボル、第７のＯＦＤＭシンボル、第９のＯＦＤＭシンボル、第１０のＯＦＤＭシンボル、第１２のＯＦＤＭシンボル、第１３のＯＦＤＭシンボル、および／または第１４のＯＦＤＭシンボルの間に受信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、方法１６００の一部として受信されるＯＦＤＭシンボルは、１０個のサブフレームを有する無線フレームの第１のサブフレームおよび／または第６のサブフレームの間に受信され得る。
【０１８７】
[0206]いくつかの例では、方法１６００は、受信された複数のＲＳに少なくとも部分的に基づいて、基地局パラメータを決定することを含み得る。基地局パラメータは、たとえば、基地局のＰＣＩ、基地局の現在のサブフレーム番号、またはそれらの組合せを含み得る。
【０１８８】
[0207]ブロック１６３５において、方法１６００は、シンボルエネルギーを測定することを含み得る。ブロック１６４０において、方法１６００は、第１のＯＦＤＭシンボルに対して、ＯＦＤＭシンボルが基地局からの送信を備えるかどうかを決定するために、ブラインド検出を実行することを含み得る。ブロック１６４５において、方法１６００は、サブフレームにおけるダウンリンクトラフィックの残存量（たとえば、第１のＯＦＤＭシンボル、第２のＯＦＤＭシンボル、第３のＯＦＤＭシンボル、および／または第４のＯＦＤＭシンボルが受信されるサブフレームにおけるダウンリンクトラフィックの残存量）のブラインド検出を実行することを含み得る。いくつかの例では、ダウンリンクトラフィックの残存量は、第４のＯＦＤＭシンボルに続くダウンリンクトラフィックの残存量であり得る（または第３のＯＦＤＭシンボルおよび／または第４のＯＦＤＭシンボルが送信または受信されない方法の実施形態では、ダウンリンクトラフィックの残存量は、第２のＯＦＤＭシンボルまたは第３のＯＦＤＭシンボルに続くダウンリンクトラフィックの残存量であり得る）。いくつかの例では、ブラインド検出は、測定されたシンボルエネルギーに少なくとも部分的に基づき得る。いくつかの例では、ブラインド検出は、第２のＯＦＤＭシンボルにおいて受信された第１の複数のＣＳＩ−ＲＳ（たとえば、第１の同期信号と同じＯＦＤＭシンボルにおいて受信されたＣＳＩ−ＲＳ）および／または第３のＯＦＤＭシンボルにおいて受信された第２の複数のＣＳＩ−ＲＳ（たとえば、第２の同期信号と同じＯＦＤＭシンボルにおいて受信されたＣＳＩ−ＲＳ）に少なくとも部分的に基づき得る。ブロック１６３５、１６４０、および／または１６４５における動作は、図８、図９、図１２、および／または図１４を参照して説明されたワイヤレス通信管理モジュール８２０、９２０、１２６０、および／または１４８６、ならびに／または図９を参照して説明されたトラフィック検出モジュール９７５を使用して実行され得る。
【０１８９】
[0208]ブロック１６５０において、方法１６００は、ブロック１６４５において実行されたブラインド検出に少なくとも部分的に基づいて、受信機の電源を選択的に切断することを含み得る。いくつかの例では、サブフレームにおけるダウンリンクトラフィックの検出された残存量がしきい値を満たさないときに、受信機の電源は切断され得る。ブロック１６５０における動作は、図８、図９、図１２、および／または図１４を参照して説明されたワイヤレス通信管理モジュール８２０、９２０、１２６０、および／もしくは１４８６、ならびに／または図９を参照して説明された電力管理モジュール９８０を使用して実行され得る。
【０１９０】
[0209]ブロック１６５５において、方法１６００は、受信された第１の同期信号および／または受信された第２の同期信号に少なくとも部分的に基づいて、ＵＥ（たとえば、方法１６００を実行しているＵＥ）を基地局と同期させることを含み得る。いくつかの例では、同期は、第１の同期信号および第２の同期信号のサンプルの相互相関を実行することと、サンプルの相互相関に少なくとも部分的に基づいて、基地局のタイミングを回復することとを含み得る。ブロック１６５５における動作は、図８、図９、図１２、および／または図１４を参照して説明されたワイヤレス通信管理モジュール８２０、９２０、１２６０、および／もしくは１４８６、ならびに／または図９を参照して説明された同期信号処理モジュール９４０および／もしくは相互相関およびタイミング回復モジュール９６５を使用して実行され得る。
【０１９１】
[0210]方法１６００のいくつかの例では、無線周波数スペクトル帯域は免許不要無線周波数スペクトル帯域を含み得る。免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。
【０１９２】
[0211]したがって、方法１６００はワイヤレス通信を提供することができる。方法１６００は一実装形態にすぎず、方法１６００の動作は、他の実装形態が可能であるように再構成されるか、または場合によっては修正され得ることに留意されたい。
【０１９３】
[0212]いくつかの例では、図１５Ａ、図１５Ｂ、および／または図１６を参照して説明された方法１５００、１５５０、および／または１６００のうちの１つまたは複数の態様は、組み合わせられ得る。
【０１９４】
[0213]図１７Ａは、本開示の様々な態様による、ワイヤレス通信のための方法１７００の例を示すフローチャートである。明快のために、方法１７００は、図１、図２、図１３、および／または図１４を参照して説明された基地局１０５、２０５、２０６、１３０５、および／または１４０５のうちの１つもしくは複数の態様、および／または図１０および／または図１１を参照して説明されたワイヤレスデバイス１００５および／または１１０５のうちの１つもしくは複数の態様を参照して以下で説明される。いくつかの例では、基地局またはワイヤレスデバイスは、以下で説明される機能を実行するために基地局またはワイヤレスデバイスの機能要素を制御するためのコードの１つまたは複数のセットを実行し得る。追加または代替として、基地局またはワイヤレスデバイスは、専用ハードウェアを使用して以下で説明される機能のうちの１つまたは複数を実行し得る。
【０１９５】
[0214]ブロック１７０５において、方法１７００は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを送信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。方法のいくつかの例では、無線周波数スペクトル帯域は免許不要無線周波数スペクトル帯域を含み得る。いくつかの例では、免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。いくつかの例では、複数のＲＳは複数のｅＣＲＳを含み得る。ブロック１７０５における動作は、図１０、図１１、図１３、および／または図１４を参照して説明されたワイヤレス通信管理モジュール１０２０、１１２０、１３６０、および／もしくは１４８４、図１０および／または図１１を参照して説明されたＲＳフォーマッティングモジュール１０３５および／もしくは１１３５、ならびに／または図１１を参照して説明された信号フォーマッティングモジュール１１５５を使用して実行され得る。
【０１９６】
[0215]したがって、方法１７００はワイヤレス通信を提供することができる。方法１７００は一実装形態にすぎず、方法１７００の動作は、他の実装形態が可能であるように再構成されるか、または場合によっては修正され得ることに留意されたい。
【０１９７】
[0216]図１７Ｂは、本開示の様々な態様による、ワイヤレス通信のための方法１７５０の例を示すフローチャートである。明快のために、方法１７５０は、図１、図２、図１３、および／または図１４を参照して説明された基地局１０５、２０５、２０６、１３０５、および／または１４０５のうちの１つもしくは複数の態様、および／または図１０および／または図１１を参照して説明されたワイヤレスデバイス１００５および／または１１０５のうちの１つもしくは複数の態様を参照して以下で説明される。いくつかの例では、基地局またはワイヤレスデバイスは、以下で説明される機能を実行するために基地局またはワイヤレスデバイスの機能要素を制御するためのコードの１つまたは複数のセットを実行し得る。追加または代替として、基地局またはワイヤレスデバイスは、専用ハードウェアを使用して以下で説明される機能のうちの１つまたは複数を実行し得る。
【０１９８】
[0217]ブロック１７５５において、方法１７５０は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを送信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。いくつかの例では、複数のＲＳは複数のｅＣＲＳを含み得る。ブロック１７５５における動作は、図１０、図１１、図１３、および／または図１４を参照して説明されたワイヤレス通信管理モジュール１０２０、１１２０、１３６０、および／もしくは１４８４、図１０および／または図１１を参照して説明されたＲＳフォーマッティングモジュール１０３５および／もしくは１１３５、ならびに／または図１１を参照して説明された信号フォーマッティングモジュール１１５５を使用して実行され得る。
【０１９９】
[0218]ブロック１７６０において、方法１７５０は、無線周波数スペクトル帯域を介して、第１の同期信号を含む第２のＯＦＤＭシンボルを送信することを含み得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。ブロック１５１０における動作は、図１０、図１１、図１３、および／または図１４を参照して説明されたワイヤレス通信管理モジュール１０２０、１１２０、１３６０、および／もしくは１４８４、図１０および／または図１１を参照して説明された同期信号フォーマッティングモジュール１０４０および／もしくは１１４０、ならびに／または図１１を参照して説明された信号フォーマッティングモジュール１１５５を使用して実行され得る。
【０２００】
[0219]方法１７５０のいくつかの例では、無線周波数スペクトル帯域は免許不要無線周波数スペクトル帯域を含み得る。免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。
【０２０１】
[0220]したがって、方法１７５０はワイヤレス通信を提供することができる。方法１７５０は一実装形態にすぎず、方法１７５０の動作は、他の実装形態が可能であるように再構成されるか、または場合によっては修正され得ることに留意されたい。
【０２０２】
[0221]図１８は、本開示の様々な態様による、ワイヤレス通信のための方法１８００の例を示すフローチャートである。明快のために、方法１８００は、図１、図２、図１２、および／または図１４を参照して説明されたＵＥ１１５、２１５、２１６、２１７、２１８、１２１５、および／または１４１５のうちの１つもしくは複数の態様、および／または図８および／または図９を参照して説明されたワイヤレスデバイス８１５および／または９１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２０３】
[0222]ブロック１８０５において、方法１８００は、無線周波数スペクトル帯域上でＣＣＡを実行することを含み得る。ブロック１８０５における動作は、図１０、図１１、図１３、および／または図１４を参照して説明されたワイヤレス通信管理モジュール１０２０、１１２０、１３６０、および／もしくは１４８４、ならびに／または図１１を参照して説明されたＣＣＡモジュール１１４５を使用して実行され得る。
【０２０４】
[0223]ブロック１８１０において、方法１８００は、ＣＣＡが成功したときに、無線周波数スペクトル帯域を介してチャネル使用インジケータを送信することを含み得る。いくつかの例では、チャネル使用インジケータはＣＵＢＳを含み得る。ブロック１８１０における動作は、図１０、図１１、図１３、および／または図１４を参照して説明されたワイヤレス通信管理モジュール１０２０、１１２０、１３６０、および／もしくは１４８４、ならびに／または図１１を参照して説明されたチャネル使用インジケータ送信管理モジュール１１５０を使用して実行され得る。
【０２０５】
[0224]ブロック１８１５において、方法１８００は、無線周波数スペクトル帯域を介して、セル固有基準信号（ＣＲＳ）またはチャネル状態情報基準信号（ＣＳＩ−ＲＳ）であり得る複数のＲＳを含む第１のＯＦＤＭシンボルを送信することを含み得る。第１のＯＦＤＭシンボルの第１の部分は、第１のＯＦＤＭシンボルの残存部分よりも高い密度のＲＳを含み得る。場合によっては、より高い密度は、ＵＥが狭帯域測定を実行するのに十分なトーンをもたらすことができ、測定が、複数のＲＳからのＲＳのすべて、または複数のＲＳからのＲＳのサブセットに基づき得る。いくつかの例では、第１のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。いくつかの例では、複数のＲＳは複数のｅＣＲＳを含み得る。ブロック１８１５における動作は、図１０、図１１、図１３、および／または図１４を参照して説明されたワイヤレス通信管理モジュール１０２０、１１２０、１３６０、および／もしくは１４８４、図１０および／または図１１を参照して説明されたＲＳフォーマッティングモジュール１０３５および／もしくは１１３５、ならびに／または図１１を参照して説明された信号フォーマッティングモジュール１１５５を使用して実行され得る。
【０２０６】
[0225]ブロック１８２０において、方法１８００は、無線周波数スペクトル帯域を介して、第１の同期信号を含む第２のＯＦＤＭシンボルを送信することを含み得る。いくつかの例では、第２のＯＦＤＭシンボルは、第１のＯＦＤＭシンボルと時間的に隣接し得る（たとえば、第２のＯＦＤＭシンボルは、時間的に第１のＯＦＤＭシンボルの直後に続き得る）。いくつかの例では、第１の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第１の同期信号は、複数のサブキャリア（たとえば、無線周波数スペクトル帯域のコンポーネントキャリアのサブキャリアの中央セット）に関連付けられ得る。いくつかの例では、第１の同期信号はＳＳＳを含み得る。いくつかの例では、ＳＳＳはｅＳＳＳを含み得る。ブロック１８２０における動作は、図１０、図１１、図１３、および／または図１４を参照して説明されたワイヤレス通信管理モジュール１０２０、１１２０、１３６０、および／もしくは１４８４、図１０および／または図１１を参照して説明された同期信号フォーマッティングモジュール１０４０および／もしくは１１４０、ならびに／または図１１を参照して説明された信号フォーマッティングモジュール１１５５および／もしくはＳＳＳフォーマッティングモジュール１１６０を使用して実行され得る。
【０２０７】
[0226]ブロック１８２５において、方法１８００は、無線周波数帯域を介して、第２の同期信号を含む第３のＯＦＤＭシンボルを送信することを含み得る。いくつかの例では、第３のＯＦＤＭシンボルは、第２のＯＦＤＭシンボルと時間的に隣接し得る（たとえば、第３のＯＦＤＭシンボルは、時間的に第２のＯＦＤＭシンボルの直後に続き得る）。いくつかの例では、第２の同期信号は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）に関連付けられ得る。いくつかの例では、第２の同期信号は、複数のサブキャリア（たとえば、無線周波数スペクトル帯域のコンポーネントキャリアのサブキャリアの中央セット）に関連付けられ得る。いくつかの例では、第２の同期信号はＰＳＳを含み得る。いくつかの例では、ＰＳＳはｅＰＳＳを含み得る。ブロック１８２５における動作は、図１０、図１１、図１３、および／または図１４を参照して説明されたワイヤレス通信管理モジュール１０２０、１１２０、１３６０、および／もしくは１４８４、図１０および／または図１１を参照して説明された同期信号フォーマッティングモジュール１０４０および／もしくは１１４０、ならびに／または図１１を参照して説明された信号フォーマッティングモジュール１１５５および／もしくはＰＳＳフォーマッティングモジュール１１６５を使用して実行され得る。
【０２０８】
[0227]いくつかの例では、第１の同期信号および第２の同期信号は、同じアンテナポートを介して送信され得る。いくつかの例では、第１の同期信号および／または第２の同期信号は、複数のＲＳと同じアンテナポートを介して送信され得る。いくつかの例では、第２のＯＦＤＭシンボルおよび第３のＯＦＤＭシンボルの各々は、ＣＳＩ−ＲＳ、ＳＩＢ、ＰＢＣＨ、またはそれらの組合せのうちの少なくとも１つをさらに含み得る。いくつかの例では、ＳＩＢはｅＳＩＢを含むことができ、および／またはＰＢＣＨはｅＰＢＣＨを含むことができる。いくつかの例では、ＲＳまたは埋め込みユーザ機器固有基準信号（ＵＥ−ＲＳ）は、ＰＢＣＨのための位相基準を提供し得る。
【０２０９】
[0228]ブロック１８３０において、方法１８００は、無線周波数スペクトル帯域を介して、複数のＲＳを含む第４のＯＦＤＭシンボルを送信することを含み得る。第４のＯＦＤＭシンボルの第１の部分は、第４のＯＦＤＭシンボルの残存部分よりも高い密度のＲＳを含み得る。いくつかの例では、第４のＯＦＤＭシンボルは、第３のＯＦＤＭシンボルと時間的に隣接し得る（たとえば、第４のＯＦＤＭシンボルは、時間的に第３のＯＦＤＭシンボルの直後に続き得る）。いくつかの例では、第４のＯＦＤＭシンボルの第１の部分は、無線周波数スペクトル帯域のコンポーネントキャリアのリソースブロックの中央セット（たとえば、各リソースブロックが１２個のサブキャリアを含む、１００個のリソースブロックを有するコンポーネントキャリアの中央の６個のリソースブロック）を含み得る。いくつかの例では、第１のＯＦＤＭシンボルの第１の部分は、複数のサブキャリア（たとえば、無線周波数スペクトル帯域のコンポーネントキャリアのサブキャリアの中央セット）に関連付けられ得る。いくつかの例では、第１のＯＦＤＭシンボルのサブキャリアの各々を介してＲＳが送信され得る。いくつかの例では、第１のＯＦＤＭシンボルの第１の部分に含まれるリソースブロックおよび／またはサブキャリアは、第４のＯＦＤＭシンボルの第１の部分に含まれる同じリソースブロックおよび／またはサブキャリアであり得る。いくつかの例では、複数のＲＳは複数のｅＣＲＳを含み得る。ブロック１８３０における動作は、図１０、図１１、図１３、および／または図１４を参照して説明されたワイヤレス通信管理モジュール１０２０、１１２０、１３６０、および／もしくは１４８４、図１０および／または図１１を参照して説明されたＲＳフォーマッティングモジュール１０３５および／もしくは１１３５、ならびに／または図１１を参照して説明された信号フォーマッティングモジュール１１５５を使用して実行され得る。
【０２１０】
[0229]いくつかの例では、第１のＯＦＤＭシンボルおよび／または第４のＯＦＤＭシンボルは、ＰＤＣＣＨ、ＰＤＳＣＨ、および／またはＰＭＣＨのうちの少なくとも１つをさらに含み得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。
【０２１１】
[0230]いくつかの例では、第１のＯＦＤＭシンボル、第２のＯＦＤＭシンボル、第３のＯＦＤＭシンボル、および第４のＯＦＤＭシンボルは、１４個のＯＦＤＭシンボルを有するサブフレームの第１のＯＦＤＭシンボル、第２のＯＦＤＭシンボル、第３のＯＦＤＭシンボル、および第４のＯＦＤＭシンボルとして、ブロック１８１０、１８２０、１８２５、および１８３０においてそれぞれ送信され得る。いくつかの例では、サブフレームの第８のＯＦＤＭシンボルおよび第１１のＯＦＤＭシンボルは、第１のＯＦＤＭシンボルおよび第４のＯＦＤＭシンボルと同様に構成され得る。方法のいくつかの例では、ＰＤＣＣＨ、ＰＤＳＣＨ、および／またはＰＭＣＨは、サブフレームの第５のＯＦＤＭシンボル、第６のＯＦＤＭシンボル、第７のＯＦＤＭシンボル、第９のＯＦＤＭシンボル、第１０のＯＦＤＭシンボル、第１２のＯＦＤＭシンボル、第１３のＯＦＤＭシンボル、および／または第１４のＯＦＤＭシンボルの間に送信され得る。いくつかの例では、ＰＤＣＣＨはｅＰＤＣＣＨを含むことができ、ＰＤＳＣＨはｅＰＤＳＣＨを含むことができ、および／またはＰＭＣＨはｅＰＭＣＨを含むことができる。いくつかの例では、方法１８００の一部として送信されるＯＦＤＭシンボルは、１０個のサブフレームを有する無線フレームの第１のサブフレームおよび／または第６のサブフレームの間に送信され得る。
【０２１２】
[0231]方法１８００のいくつかの例では、無線周波数スペクトル帯域は免許不要無線周波数スペクトル帯域を含み得る。免許不要無線周波数スペクトル帯域は、無線周波数スペクトル帯域が、Ｗｉ−Ｆｉ用途のような免許不要の用途に利用可能であるので装置がアクセスを争う必要があり得る無線周波数スペクトル帯域を含み得る。
【０２１３】
[0232]したがって、方法１８００はワイヤレス通信を提供することができる。方法１８００は一実装形態にすぎず、方法１８００の動作は、他の実装形態が可能であるように再構成されるか、または場合によっては修正され得ることに留意されたい。
【０２１４】
[0233]いくつかの例では、図１７Ａ、図１７Ｂ、および／または図１８を参照して説明された方法１７００、１７５０、および／または１８００のうちの１つまたは複数の態様は、組み合わせられ得る。
【０２１５】
[0234]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装することができる。ＣＤＭＡ２０００は、ＩＳ−２０００、ＩＳ−９５およびＩＳ−８５６規格をカバーする。ＩＳ−２０００  Ｒｅｌｅａｓｅ０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、免許不要および／または共有帯域幅を通じたセルラー（たとえば、ＬＴＥ）通信を含む、上述のシステムおよび無線技術、ならびに他のシステムおよび無線技術のために使用され得る。しかしながら、上記の説明は、例としてＬＴＥ／ＬＴＥ−Ａシステムを記載し、上記の説明の大部分においてＬＴＥ用語が使用されるが、本技法はＬＴＥ／ＬＴＥ−Ａの適用例以外に適用可能である。
【０２１６】
[0235]添付の図面に関して上に記載された発明を実施するための形態は、例について説明しており、実装され得るかまたは特許請求の範囲内に入る例のすべてを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明される技法の理解を与えるための具体的な詳細を含む。しかしながら、これらの技法は、これらの特定の具体的な詳細なしに実践され得る。場合によっては、説明された例の概念を不明瞭にすることを避けるために、よく知られている構造および装置がブロック図の形態で示されている。
【０２１７】
[0236]情報および信号は、様々な異なる技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２１８】
[0237]本明細書の開示に関して説明された様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２１９】
[0238]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され、または非一時的コンピュータ可読媒体を介して送信され得る。他の例および実装形態が、本開示および添付の特許請求の範囲および趣旨の中にある。たとえば、ソフトウェアの性質により、上で説明された機能は、プロセッサ、ハードウェア、ファームウェア、ハードワイヤリング、またはこれらのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２２０】
[0239]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、フラッシュメモリ、ＣＤ−ＲＯＭもしくは他の光ディスクストレージ、磁気ディスクストレージもしくは他の磁気記憶デバイス、または命令またはデータ構造の形態で所望のプログラムコード手段を搬送または記憶するために使用され、汎用もしくは専用コンピュータ、または汎用もしくは専用プロセッサによってアクセスされ得る任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２２１】
[0240]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
無線周波数スペクトル帯域を介して、複数の基準信号（ＲＳ）を備える第１の直交周波数分割多重（ＯＦＤＭ）シンボルを受信することを備え、前記第１のＯＦＤＭシンボルの第１の部分が、前記第１のＯＦＤＭシンボルの残存部分よりも高い密度の前記ＲＳを備える、方法。
［Ｃ２］
前記複数のＲＳは、セル固有基準信号（ＣＲＳ）またはチャネル状態情報基準信号（ＣＳＩ−ＲＳ）のうちの少なくとも１つを含む、Ｃ１に記載の方法。
［Ｃ３］
前記無線周波数スペクトル帯域を介して、第１の同期信号を備える第２のＯＦＤＭシンボルを受信すること
をさらに備える、Ｃ１に記載の方法。
［Ｃ４］
前記第２のＯＦＤＭシンボルは、前記第１のＯＦＤＭシンボルに時間的に隣接する、Ｃ２に記載の方法。
［Ｃ５］
前記無線周波数スペクトル帯域を介して、第２の同期信号を備える第３のＯＦＤＭシンボルを受信すること
をさらに備える、Ｃ２に記載の方法。
［Ｃ６］
前記第３のＯＦＤＭシンボルは、前記第２のＯＦＤＭシンボルに時間的に隣接する、Ｃ５に記載の方法。
［Ｃ７］
前記無線周波数スペクトル帯域を介して、複数のＲＳを備える第４のＯＦＤＭシンボルを受信することをさらに備え、前記第４のＯＦＤＭシンボルの第１の部分が、前記第４のＯＦＤＭシンボルの残存部分よりも高い密度のＲＳを備える、Ｃ５に記載の方法。
［Ｃ８］
前記第４のＯＦＤＭシンボルは、前記第３のＯＦＤＭシンボルに時間的に隣接する、Ｃ７に記載の方法。
［Ｃ９］
前記無線周波数スペクトル帯域は免許不要無線周波数スペクトル帯域を備える、Ｃ７に記載の方法。
［Ｃ１０］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成る群のうちの少なくとも１つをさらに備える、Ｃ５に記載の方法。
［Ｃ１１］
前記第１の同期信号は二次同期信号を備え、前記第２の同期信号は一次同期信号を備える、Ｃ５に記載の方法。
［Ｃ１２］
前記第１の同期信号および前記第２の同期信号は、前記第２のＯＦＤＭシンボルおよび前記第３のＯＦＤＭシンボルのリソースブロックの中央セットを介して受信される、Ｃ５に記載の方法。
［Ｃ１３］
前記第１のＯＦＤＭシンボルの前記第１の部分は、前記無線周波数スペクトル帯域のコンポーネントキャリアのリソースブロックの中央セットを備える、Ｃ１に記載の方法。
［Ｃ１４］
リソースブロックの前記中央セットに対して狭帯域チャネル測定を実行すること
をさらに備える、Ｃ１３に記載の方法。
［Ｃ１５］
前記狭帯域測定は、前記複数のＲＳからの前記ＲＳのすべて、または前記複数のＲＳからのＲＳのサブセットに基づく、Ｃ１４に記載の方法。
［Ｃ１６］
前記ＯＦＤＭシンボルが基地局からの送信を備えるかどうかを決定するために、前記第１のＯＦＤＭシンボルに対してブラインド検出を実行すること
をさらに備える、Ｃ１に記載の方法。
［Ｃ１７］
サブフレームにおけるダウンリンクトラフィックの残存量のブラインド検出を実行すること
をさらに備える、Ｃ２に記載の方法。
［Ｃ１８］
前記ブラインド検出に少なくとも部分的に基づいて、受信機の電源を選択的に切断すること
をさらに備える、Ｃ１７に記載の方法。
［Ｃ１９］
前記ブラインド検出は、前記第２のＯＦＤＭシンボルにおいて受信された第１の複数のチャネル状態情報基準信号（ＣＳＩ−ＲＳ）に少なくとも部分的に基づく、Ｃ１７に記載の方法。
［Ｃ２０］
前記ブラインド検出はさらに、第２の同期信号に関連するＯＦＤＭシンボルにおいて受信された第２の複数のＣＳＩ−ＲＳに少なくとも部分的に基づく、Ｃ１９に記載の方法。
［Ｃ２１］
シンボルエネルギーを測定すること
をさらに備え、
前記ブラインド検出は、前記シンボルエネルギーに少なくとも部分的に基づく、Ｃ１７に記載の方法。
［Ｃ２２］
前記第１のＯＦＤＭシンボルの前記第１の部分は、複数のサブキャリアに関連付けられ、前記第１のＯＦＤＭシンボルの前記複数のサブキャリアの各々を介してＲＳが受信される、Ｃ１に記載の方法。
［Ｃ２３］
ワイヤレス通信のための装置であって、
無線周波数スペクトル帯域を介して、複数の基準信号（ＲＳ）を備える第１の直交周波数分割多重（ＯＦＤＭ）シンボルを受信するための手段を備え、前記第１のＯＦＤＭシンボルの第１の部分が、前記第１のＯＦＤＭシンボルの残存部分よりも高い密度の前記ＲＳを備える、装置。
［Ｃ２４］
前記複数のＲＳは、セル固有基準信号（ＣＲＳ）またはチャネル状態情報基準信号（ＣＳＩ−ＲＳ）のうちの少なくとも１つを含む、Ｃ２３に記載の装置。
［Ｃ２５］
前記無線周波数スペクトル帯域を介して、第１の同期信号を備える第２のＯＦＤＭシンボルを受信するための手段
をさらに備える、Ｃ２３に記載の装置。
［Ｃ２６］
前記第２のＯＦＤＭシンボルは、前記第１のＯＦＤＭシンボルに時間的に隣接する、Ｃ２５に記載の装置。
［Ｃ２７］
前記免許不要無線周波数スペクトル帯域を介して、第２の同期信号を備える第３のＯＦＤＭシンボルを受信するための手段
をさらに備える、Ｃ２５に記載の装置。
［Ｃ２８］
前記第３のＯＦＤＭシンボルは、前記第２のＯＦＤＭシンボルに時間的に隣接する、Ｃ２７に記載の装置。
［Ｃ２９］
前記無線周波数スペクトル帯域を介して、複数のＲＳを備える第４のＯＦＤＭシンボルを受信するための手段をさらに備え、前記第４のＯＦＤＭシンボルの第１の部分が、前記第４のＯＦＤＭシンボルの残存部分よりも高い密度のＲＳを備える、Ｃ２７に記載の装置。
［Ｃ３０］
前記第４のＯＦＤＭシンボルは、前記第３のＯＦＤＭシンボルに時間的に隣接する、Ｃ２９に記載の装置。
［Ｃ３１］
前記無線周波数スペクトル帯域は免許不要無線周波数スペクトル帯域を備える、Ｃ２９に記載の方法。
［Ｃ３２］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ２７に記載の装置。
［Ｃ３３］
前記第１の同期信号は二次同期信号を備え、前記第２の同期信号は一次同期信号を備える、Ｃ２７に記載の装置。
［Ｃ３４］
前記第１の同期信号および前記第２の同期信号は、前記第２のＯＦＤＭシンボルおよび前記第３のＯＦＤＭシンボルのリソースブロックの中央セットを介して受信される、Ｃ２７に記載の装置。
［Ｃ３５］
前記第１のＯＦＤＭシンボルの前記第１の部分は、前記無線周波数スペクトル帯域のコンポーネントキャリアのリソースブロックの中央セットを備える、Ｃ２３に記載の装置。
［Ｃ３６］
リソースブロックの前記中央セットに対して狭帯域チャネル測定を実行するための手段をさらに備える、Ｃ３５に記載の装置。
［Ｃ３７］
前記狭帯域測定は、前記複数のＲＳからの前記ＲＳのすべて、または前記複数のＲＳからのＲＳのサブセットに基づく、Ｃ３６に記載の装置。
［Ｃ３８］
前記ＯＦＤＭシンボルが基地局からの送信を備えるかどうかを決定するために、前記第１のＯＦＤＭシンボルに対してブラインド検出を実行すること
をさらに備える、Ｃ２３に記載の装置。
［Ｃ３９］
サブフレームにおけるダウンリンクトラフィックの残存量のブラインド検出を実行するための手段
をさらに備える、Ｃ２５に記載の装置。
［Ｃ４０］
前記ブラインド検出に少なくとも部分的に基づいて、受信機の電源を選択的に切断するための手段
をさらに備える、Ｃ３９に記載の装置。
［Ｃ４１］
前記ブラインド検出は、前記第２のＯＦＤＭシンボルにおいて受信された第１の複数のチャネル状態情報基準信号（ＣＳＩ−ＲＳ）に少なくとも部分的に基づく、Ｃ３９に記載の装置。
［Ｃ４２］
前記ブラインド検出はさらに、第２の同期信号に関連するＯＦＤＭシンボルにおいて受信された第２の複数のＣＳＩ−ＲＳに少なくとも部分的に基づく、Ｃ４１に記載の装置。
［Ｃ４３］
シンボルエネルギーを測定するための手段
をさらに備え、
前記ブラインド検出は、前記シンボルエネルギーに少なくとも部分的に基づく、Ｃ３９に記載の装置。
［Ｃ４４］
前記第１のＯＦＤＭシンボルの前記第１の部分は、複数のサブキャリアに関連付けられ、前記第１のＯＦＤＭシンボルの前記複数のサブキャリアの各々を介してＲＳが受信される、Ｃ２３に記載の装置。
［Ｃ４５］
ワイヤレス通信のための装置であって、
プロセッサと、
前記プロセッサに結合されたメモリと
を備え、前記プロセッサは、
無線周波数スペクトル帯域を介して、複数の基準信号（ＲＳ）を備える第１の直交周波数分割多重（ＯＦＤＭ）シンボルを受信するように構成され、前記第１のＯＦＤＭシンボルの第１の部分が、前記第１のＯＦＤＭシンボルの残存部分よりも高い密度の前記ＲＳを備える、装置。
［Ｃ４６］
前記複数のＲＳは、セル固有基準信号（ＣＲＳ）またはチャネル状態情報基準信号（ＣＳＩ−ＲＳ）のうちの少なくとも１つを含む、Ｃ４５に記載の装置。
［Ｃ４７］
前記プロセッサは、
前記無線周波数スペクトル帯域を介して、第１の同期信号を備える第２のＯＦＤＭシンボルを受信する
ように構成される、Ｃ４５に記載の装置。
［Ｃ４８］
前記プロセッサは、
前記無線周波数スペクトル帯域を介して、第２の同期信号を備える第３のＯＦＤＭシンボルを受信する
ように構成される、Ｃ４６に記載の装置。
［Ｃ４９］
前記プロセッサは、
前記無線周波数スペクトル帯域を介して、複数のＲＳを備える第４のＯＦＤＭシンボルを受信するように構成され、前記第４のＯＦＤＭシンボルの第１の部分が、前記第４のＯＦＤＭシンボルの残存部分よりも高い密度のＲＳを備える、Ｃ４８に記載の装置。
［Ｃ５０］
前記第１の同期信号および前記第２の同期信号は、前記第２のＯＦＤＭシンボルおよび前記第３のＯＦＤＭシンボルのリソースブロックの中央セットを介して受信される、Ｃ４８に記載の装置。
［Ｃ５１］
前記第１のＯＦＤＭシンボルの前記第１の部分は、前記無線周波数スペクトル帯域のコンポーネントキャリアのリソースブロックの中央セットを備える、Ｃ４５に記載の装置。
［Ｃ５２］
前記プロセッサは、
前記ＯＦＤＭシンボルが基地局からの送信を備えるかどうかを決定するために、前記第１のＯＦＤＭシンボルに対してブラインド検出を実行する
ように構成される、Ｃ４５に記載の装置。
［Ｃ５３］
前記プロセッサは、
サブフレームにおけるダウンリンクトラフィックの残存量のブラインド検出を実行するように構成される、Ｃ４６に記載の装置。
［Ｃ５４］
前記プロセッサは、
前記ブラインド検出に少なくとも部分的に基づいて、受信機の電源を選択的に切断するように構成される、Ｃ５３に記載の装置。
［Ｃ５５］
プロセッサによって実行可能な命令を記憶するためのコンピュータ可読媒体であって、  無線周波数スペクトル帯域を介して、複数の基準信号（ＲＳ）を備える第１の直交周波数分割多重（ＯＦＤＭ）シンボルを受信するための命令を備え、前記第１のＯＦＤＭシンボルの第１の部分が、前記第１のＯＦＤＭシンボルの残存部分よりも高い密度の前記ＲＳを備える、コンピュータ可読媒体。
［Ｃ５６］
前記複数のＲＳは、セル固有基準信号（ＣＲＳ）またはチャネル状態情報基準信号（ＣＳＩ−ＲＳ）のうちの少なくとも１つを含む、Ｃ５５に記載のコンピュータ可読媒体。
［Ｃ５７］
前記無線周波数スペクトル帯域を介して、第１の同期信号を備える第２のＯＦＤＭシンボルを受信するための命令
をさらに備える、Ｃ５５に記載のコンピュータ可読媒体。
［Ｃ５８］
前記無線周波数スペクトル帯域を介して、第２の同期信号を備える第３のＯＦＤＭシンボルを受信するための命令
をさらに備える、Ｃ５６に記載のコンピュータ可読媒体。
［Ｃ５９］
前記無線周波数スペクトル帯域を介して、複数のＲＳを備える第４のＯＦＤＭシンボルを受信するための命令をさらに備え、前記第４のＯＦＤＭシンボルの第１の部分が、前記第４のＯＦＤＭシンボルの残存部分よりも高い密度のＲＳを備える、Ｃ５８に記載のコンピュータ可読媒体。
［Ｃ６０］
ワイヤレス通信のための方法であって、
無線周波数スペクトル帯域を介して、複数の基準信号（ＲＳ）を備える第１の直交周波数分割多重（ＯＦＤＭ）シンボルを送信することを備え、前記第１のＯＦＤＭシンボルの第１の部分が、前記第１のＯＦＤＭシンボルの残存部分よりも高い密度の前記ＲＳを備える、方法。
［Ｃ６１］
前記複数のＲＳは、セル固有基準信号（ＣＲＳ）またはチャネル状態情報基準信号（ＣＳＩ−ＲＳ）のうちの少なくとも１つを含む、Ｃ６０に記載の方法。
［Ｃ６２］
前記無線周波数スペクトル帯域を介して、第１の同期信号を備える第２のＯＦＤＭシンボルを送信すること
をさらに備える、Ｃ６０に記載の方法。
［Ｃ６３］
前記第２のＯＦＤＭシンボルは、前記第１のＯＦＤＭシンボルに時間的に隣接する、Ｃ６１に記載の方法。
［Ｃ６４］
前記無線周波数スペクトル帯域を介して、第２の同期信号を備える第３のＯＦＤＭシンボルを送信すること
をさらに備える、Ｃ６１に記載の方法。
［Ｃ６５］
前記第３のＯＦＤＭシンボルは、前記第２のＯＦＤＭシンボルに時間的に隣接する、Ｃ６４に記載の方法。
［Ｃ６６］
前記無線周波数スペクトル帯域を介して、複数のＲＳを備える第４のＯＦＤＭシンボルを送信することをさらに備え、前記第４のＯＦＤＭシンボルの第１の部分が、前記第４のＯＦＤＭシンボルの残存部分よりも高い密度のＲＳを備える、Ｃ６４に記載の方法。
［Ｃ６７］
前記第４のＯＦＤＭシンボルは、前記第３のＯＦＤＭシンボルに時間的に隣接する、Ｃ６６に記載の方法。
［Ｃ６８］
前記無線周波数スペクトル帯域は免許不要無線周波数スペクトル帯域を備える、Ｃ６６に記載の装置。
［Ｃ６９］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ６４に記載の方法。
［Ｃ７０］
前記第１の同期信号は二次同期信号を備え、前記第２の同期信号は一次同期信号を備える、Ｃ６４に記載の方法。
［Ｃ７１］
前記第１の同期信号および前記第２の同期信号は、前記第２のＯＦＤＭシンボルおよび前記第３のＯＦＤＭシンボルのリソースブロックの中央セットを介して送信される、Ｃ６４に記載の方法。
［Ｃ７２］
前記第１のＯＦＤＭシンボルの前記第１の部分は、前記無線周波数スペクトル帯域のコンポーネントキャリアのリソースブロックの中央セットを備える、Ｃ６０に記載の方法。
［Ｃ７３］
前記第１のＯＦＤＭシンボルの前記第１の部分は、複数のサブキャリアに関連付けられ、前記第１のＯＦＤＭシンボルの前記複数のサブキャリアの各々を介してＲＳが送信される、Ｃ６０に記載の方法。
［Ｃ７４］
ワイヤレス通信のための装置であって、
無線周波数スペクトル帯域を介して、複数の基準信号（ＲＳ）を備える第１の直交周波数分割多重（ＯＦＤＭ）シンボルを送信するための手段を備え、前記第１のＯＦＤＭシンボルの第１の部分が、前記第１のＯＦＤＭシンボルの残存部分よりも高い密度の前記ＲＳを備える、装置。
［Ｃ７５］
前記複数のＲＳは、セル固有基準信号（ＣＲＳ）またはチャネル状態情報基準信号（ＣＳＩ−ＲＳ）のうちの少なくとも１つを含む、Ｃ７４に記載の装置。
［Ｃ７６］
前記免許不要無線周波数スペクトル帯域を介して、第１の同期信号を備える第２のＯＦＤＭシンボルを送信するための手段
をさらに備える、Ｃ７４に記載の装置。
［Ｃ７７］
前記第２のＯＦＤＭシンボルは、前記第１のＯＦＤＭシンボルに時間的に隣接する、Ｃ７７に記載の装置。
［Ｃ７８］
前記無線周波数スペクトル帯域を介して、第２の同期信号を備える第３のＯＦＤＭシンボルを送信するための手段
をさらに備える、Ｃ７４に記載の装置。
［Ｃ７９］
前記第３のＯＦＤＭシンボルは、前記第２のＯＦＤＭシンボルに時間的に隣接する、Ｃ７８に記載の装置。
［Ｃ８０］
前記無線周波数スペクトル帯域を介して、複数のＲＳを備える第４のＯＦＤＭシンボルを送信するための手段をさらに備え、前記第４のＯＦＤＭシンボルの第１の部分が、前記第４のＯＦＤＭシンボルの残存部分よりも高い密度のＲＳを備える、Ｃ７８に記載の装置。
［Ｃ８１］
前記第４のＯＦＤＭシンボルは、前記第３のＯＦＤＭシンボルに時間的に隣接する、Ｃ８０に記載の装置。
［Ｃ８２］
前記無線周波数スペクトル帯域は免許不要無線周波数スペクトル帯域を備える、Ｃ８０に記載の装置。
［Ｃ８３］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ７８に記載の装置。
［Ｃ８４］
前記第１の同期信号は二次同期信号を備え、前記第２の同期信号は一次同期信号を備える、Ｃ７８に記載の装置。
［Ｃ８５］
前記第１の同期信号および前記第２の同期信号は、前記第２のＯＦＤＭシンボルおよび前記第３のＯＦＤＭシンボルのリソースブロックの中央セットを介して送信される、Ｃ７８に記載の装置。
［Ｃ８６］
前記第１のＯＦＤＭシンボルの前記第１の部分は、前記無線周波数スペクトル帯域のコンポーネントキャリアのリソースブロックの中央セットを備える、Ｃ７４に記載の装置。
［Ｃ８７］
前記第１のＯＦＤＭシンボルの前記第１の部分は、複数のサブキャリアに関連付けられ、前記第１のＯＦＤＭシンボルの前記複数のサブキャリアの各々を介してＲＳが送信される、Ｃ７４に記載の装置。
［Ｃ８８］
ワイヤレス通信のための装置であって、
プロセッサと、
前記プロセッサに結合されたメモリと
を備え、前記プロセッサは、
無線周波数スペクトル帯域を介して、複数の基準信号（ＲＳ）を備える第１の直交周波数分割多重（ＯＦＤＭ）シンボルを送信するように構成され、前記第１のＯＦＤＭシンボルの第１の部分が、前記第１のＯＦＤＭシンボルの残存部分よりも高い密度の前記ＲＳを備える、装置。
［Ｃ８９］
前記複数のＲＳは、セル固有基準信号（ＣＲＳ）またはチャネル状態情報基準信号（ＣＳＩ−ＲＳ）のうちの少なくとも１つを含む、Ｃ８８に記載の装置。
［Ｃ９０］
前記無線周波数スペクトル帯域を介して、第１の同期信号を備える第２のＯＦＤＭシンボルを送信する
をさらに備える、Ｃ８８に記載の装置。
［Ｃ９１］
前記プロセッサは、
前記無線周波数スペクトル帯域を介して、第２の同期信号を備える第３のＯＦＤＭシンボルを送信する
ように構成される、Ｃ９０に記載の装置。
［Ｃ９２］
前記プロセッサは、
前記無線周波数スペクトル帯域を介して、複数のＲＳを備える第４のＯＦＤＭシンボルを送信するように構成され、前記第４のＯＦＤＭシンボルの第１の部分が、前記第４のＯＦＤＭシンボルの残存部分よりも高い密度のＲＳを備える、Ｃ９１に記載の装置。
［Ｃ９３］
前記第１の同期信号および前記第２の同期信号は、前記第２のＯＦＤＭシンボルおよび前記第３のＯＦＤＭシンボルのリソースブロックの中央セットを介して送信される、Ｃ９１に記載の装置。
［Ｃ９４］
前記第１のＯＦＤＭシンボルの前記第１の部分は、前記免許不要無線周波数スペクトル帯域のコンポーネントキャリアのリソースブロックの中央セットを備える、Ｃ８８に記載の装置。
［Ｃ９５］
プロセッサによって実行可能な命令を記憶するためのコンピュータ可読媒体であって、  無線周波数スペクトル帯域を介して、複数の基準信号（ＲＳ）を備える第１の直交周波数分割多重（ＯＦＤＭ）シンボルを送信するための命令を備え、前記第１のＯＦＤＭシンボルの第１の部分が、前記第１のＯＦＤＭシンボルの残存部分よりも高い密度の前記ＲＳを備える、コンピュータ可読媒体。
［Ｃ９６］
前記複数のＲＳは、セル固有基準信号（ＣＲＳ）またはチャネル状態情報基準信号（ＣＳＩ−ＲＳ）のうちの少なくとも１つを含む、Ｃ９５に記載の方法。
［Ｃ９７］
前記無線周波数スペクトル帯域を介して、第１の同期信号を備える第２のＯＦＤＭシンボルを送信するための命令
をさらに備える、Ｃ９５に記載の方法。
［Ｃ９８］
前記無線周波数スペクトル帯域を介して、第２の同期信号を備える第３のＯＦＤＭシンボルを送信するための命令
をさらに備える、Ｃ９７に記載のコンピュータ可読媒体。
［Ｃ９９］
前記無線周波数スペクトル帯域を介して、複数のＲＳを備える第４のＯＦＤＭシンボルを送信するための命令をさらに備え、前記第４のＯＦＤＭシンボルの第１の部分が、前記第４のＯＦＤＭシンボルの残存部分よりも高い密度のＲＳを備える、Ｃ９８に記載のコンピュータ可読媒体。
【図１】
0006786475.tif 000002
【図２】
0006786475.tif 000003
【図３】
0006786475.tif 000004
【図４】
0006786475.tif 000005
【図５】
0006786475.tif 000006
【図６】
0006786475.tif 000007
【図７】
0006786475.tif 000008
【図８】
0006786475.tif 000009
【図９】
0006786475.tif 000010
【図１０】
0006786475.tif 000011
【図１１】
0006786475.tif 000012
【図１２】
0006786475.tif 000013
【図１３】
0006786475.tif 000014
【図１４】
0006786475.tif 000015
【図１５Ａ】
0006786475.tif 000016
【図１５Ｂ】
0006786475.tif 000017
【図１６】
0006786475.tif 000018
【図１７Ａ】
0006786475.tif 000019
【図１７Ｂ】
0006786475.tif 000020
【図１８】
0006786475.tif 000021